(57)【要約】【課題】 光ディスク媒体中のヘッダ部や付属部などの実際のユーザーデータ以外に費やされていた冗長度を少なくすることで、同一の大きさの光ディスク媒体により多くのユーザーデータを記録することが可能な光ディスク媒体を提供することを目的とする。【解決手段】 本発明の光ディスク媒体は、トラックグルーブを有し、トラックグルーブに沿って主情報が記録される光ディスク媒体であって、トラックグルーブは複数のブロックに分割されており、複数のブロックのそれぞれは複数のフレームを含み、複数のフレームのそれぞれは、予め決められた複数の蛇行形状の内、副情報を示す１つの蛇行形状を有しており、複数のブロックのそれぞれはアドレス情報を有しており、アドレス情報は、少なくとも１つのフレームの蛇行形状によって示される少なくとも１つの副情報の並びによって表される。【選択図】  図１
2010182412.tif 000002
【特許請求の範囲】
【請求項１】
記録領域とディスク管理領域とを有する光ディスク媒体であって、
前記記録領域は、第１のトラックグルーブを含み、
前記ディスク管理領域は、前記記録媒体の内周領域と外周領域の少なくともいずれか一方に配置され、第２のトラックグルーブを含み、
前記第２のトラックグルーブは、副情報を示し前記第１のトラックグルーブに形成されているウォブルの形状とは異なる所定形状のウォブルを複数種類含み、
前記記録媒体の管理情報は、前記複数種類の所定形状のウォブルの組合せによって表現される、光ディスク媒体。
【請求項２】
請求項１に記載の光ディスク媒体を製造するための方法、又は前記方法を実行するためのプログラム、又は前記プログラムを電子計算機にて実行可能な形式にて格納するための格納メディア、又は前記方法を実現するための製造設備。
【発明の詳細な説明】
【技術分野】
【０００１】
本発明は、高密度で情報（例えばデジタルビデオ情報）が記録される光ディスク媒体およびその光ディスク装置および光ディスク再生方法に関する。
【背景技術】
【０００２】
近年、光ディスク媒体は高密度化の一途を辿っている。一般に、記録可能な光ディスク媒体には予めトラックグルーブが形成され、そのトラックグルーブに沿って、即ちトラックグルーブの上、若しくはトラックグルーブで挟まれた領域（ランド）に情報が記録される。トラックグルーブはサイン波状のウォブルが形成され、情報はその蛇行周期に基づいて生成されたクロックと同期して記録される。また、光ディスク記録面の所定の位置に情報を記録するために、トラックグルーブに沿ってアドレスが設けられている。このアドレスの構成について、以下に３つの例を挙げて説明する。
【０００３】
まず、特開平６−３０９６７２号公報には、ウォブルが形成されているトラックグルーブを局所的に断続形成し、いわゆるプレピットとして情報が再生可能な光ディスクが開示されている。この場合、トラック上にアドレス専用領域と情報を記録するためのデータ専用領域とが併存する構成をとる。
【０００４】
次に、特開平５−１８９９３４号公報には、ウォブルの周波数によってアドレス情報（副情報）を記載する光ディスクが開示されている。この場合、データ情報はアドレス情報の上に上書きされることになる。
【０００５】
さらに、特開平９−３２６１３８号公報には、トラックグルーブとこれに隣接するトラックグルーブとの間にプレピットを形成し、プレピットによりアドレスを形成する光ディスクが開示されている。
【発明の概要】
【発明が解決しようとする課題】
【０００６】
しかしながら、今後の高密度化を考えた場合、上記のいずれの構成もそれぞれ課題を有している。まず、トラック上に別途アドレス領域をプレピットで設ける構成であるが、この場合、アドレス領域を確保する分（いわゆるオーバーヘッドの分）データ領域を削ることになり、その分の記録容量を減らさざるを得ない。
【０００７】
次に、周波数変調したウォブルを設ける構成であるが、そもそもグルーブウォブルは記録情報のクロックを生成することを主目的として設けられたものであり、グルーブウォブルは単一の周波数で形成されていることが望ましい。つまり、単一周波数なら、このウォブル再生信号をＰＬＬ等を用いて単に同期逓倍することによって、精度の高い記録クロック信号を生成することができる。ところが、このグルーブウォブルが複数の周波数成分を有している場合、ＰＬＬの疑似ロックを避けるためにはＰＬＬ追従帯域を単一ウォブルの場合に比べて下げざるを得ない。こうした場合、ディスクモータージッタやディスク偏心等によって生じるジッタにＰＬＬが十分追従できず、その結果、記録信号にジッタが残留する場合が発生する。
【０００８】
また、光ディスク記録面上に形成された記録膜が例えば相変化膜であった場合、書換を繰り返すうちに記録膜のＳ／Ｎ比が低下することがある。このときでも、単一のウォブル周波数ならば狭い帯域のバンドパスフィルターを用いてノイズ成分を除去することが可能である。しかし、ウォブルが周波数変調されていた場合、周波数変調分のフィルターの帯域を拡げねばならないためにノイズ成分がウォブル再生信号に混入し、さらにジッタを増加させる。高密度記録するほどジッタマージンは減るから、こういったジッタ増加は好ましくない。
【０００９】
また、トラックグルーブ間にプレピットを形成する構成であるが、そのプレピットは当然隣接トラックグルーブの読み取り時にも影響を及ぼすため、プレピットの長さを十分長く、また個数を十分多くすることが難しく、特に高密度化した場合、検出エラーが増える懸念がある。
【００１０】
本発明は上記問題点に鑑み、オーバーヘッドを極力少なくすることができ、しかも単一周波数のグルーブウォブルでアドレスを表記することのできる光ディスク媒体、その光ディスクを再生する光ディスク装置および光ディスク再生方法を提供することを目的とする。
【課題を解決するための手段】
【００１１】
本発明の光ディスク媒体は、トラックグルーブを有し、トラックグルーブに沿って主情報が記録される光ディスク媒体であって、トラックグルーブは複数のブロックに分割されており、複数のブロックのそれぞれは複数のフレームを含み、複数のフレームのそれぞれは、予め決められた複数の蛇行形状の内、副情報を示す１つの蛇行形状を有しており、複数のブロックのそれぞれはアドレス情報を有しており、アドレス情報は、少なくとも１つのフレームの蛇行形状によって示される少なくとも１つの副情報の並びによって表され、そのことにより上記目的が達成される。
【００１２】
複数のブロックのそれぞれは複数のセクタを含み、複数のセクタのそれぞれは複数のフレームを含み、アドレス情報は、少なくとも１つのセクタに含まれる少なくとも１つのフレームの蛇行形状によって示される少なくとも１つの副情報の並びによって表されてもよい。
【００１３】
複数のブロックの少なくとも１つは、複数のアドレス情報を有しており、複数のアドレス情報は同一であり、複数のアドレスのそれぞれは、少なくとも１つの副情報の並びによって表されてもよい。
【００１４】
複数のアドレスのそれぞれは繰り返し番号を含み、繰り返し番号は、複数のアドレスの内の何番目のアドレスであるかを示してもよい。
【００１５】
アドレス情報は複数のビットによって表されており、複数のビットは、最下位ビットから最上位ビットの順に少なくとも１つの副情報の並びによって表されてもよい。
【００１６】
複数のブロックのそれぞれは複数のセクタを含み、複数のセクタのそれぞれは複数のフレームを含み、アドレス情報は、複数のセクタに含まれる少なくとも１つの副情報の並びによって表され、複数のセクタの内の何番目のセクタであるかを示す情報は、少なくとも１つの副情報の一部によって表されてもよい。
【００１７】
誤り検査符号および誤り訂正符号の少なくとも一方を示す情報が、少なくとも１つの副情報の一部によって表されてもよい。
【００１８】
トラックグルーブには複数のブロックそれぞれの先頭を示す識別マークが形成されてもよい。
【００１９】
識別マークはトラックグルーブを寸断することにより形成されてもよい。
【００２０】
識別マークはトラックグルーブの幅を局所的に変えて形成されてもよい。
【００２１】
識別マークは蛇行形状の振幅を局所的に変えて形成されてもよい。
【００２２】
複数の蛇行形状は、立ち上がり変位および立ち下がり変位の少なくとも一方が互いに異なる第１の蛇行形状と第２の蛇行形状とを含み、第１の蛇行形状と第２の蛇行形状とは、互いに異なる副情報を示してもよい。
【００２３】
複数の蛇行形状は、デューティー比が互いに異なる第１の蛇行形状と第２の蛇行形状とを含み、第１の蛇行形状と第２の蛇行形状とは、互いに異なる副情報を示してもよい。
【００２４】
複数の蛇行形状は、トラックグルーブの片側のエッジにのみ形成されてもよい。
【００２５】
トラックグルーブには少なくとも１つの副情報の並びの先頭および後尾の少なくとも一方を示す識別マークが形成されてもよい。
【００２６】
複数のブロックの少なくとも１つは、複数の少なくとも１つの副情報の並びを有しており、識別マークは少なくとも１つの副情報の並びの先頭を示し、同一ブロック内の複数の少なくとも１つの副情報の並びにおいて識別マークは同一形状であってもよい。
【００２７】
複数のブロックの少なくとも１つは、複数の少なくとも１つの副情報の並びを有しており、識別マークは少なくとも１つの副情報の並びの先頭を示し、同一ブロック内の複数の少なくとも１つの副情報の並びにおいて、少なくとも１つの識別マークが他の識別マークと異なる形状で形成されてもよい。
【００２８】
識別マークは少なくとも１つの副情報の並びの後尾を示し、識別マークは、立ち上がり変位および立ち下がり変位の少なくとも一方が互いに異なるように形成された第１の蛇行形状および第２の蛇行形状と正弦波状に形成された第３蛇行形状とを組み合わせて形成されてもよい。
【００２９】
複数のブロックの少なくとも１つは、複数の少なくとも１つの副情報の並びを有しており、識別マークは少なくとも１つの副情報の並びの後尾を示し、同一ブロック内の複数の少なくとも１つの副情報の並びにおいて識別マークは同一形状であってもよい。
【００３０】
複数のブロックの少なくとも１つは、複数の少なくとも１つの副情報の並びを有しており、識別マークは少なくとも１つの副情報の並びの後尾を示し、同一ブロック内の複数の少なくとも１つの副情報の並びにおいて、少なくとも１つの識別マークが他の識別マークと異なる形状で形成されてもよい。
【００３１】
識別マークはトラックグルーブのトラック間のランド部の一部を寸断することにより形成されてもよい。
【００３２】
識別マークはトラックグルーブのトラック間のランド部の一部を寸断することにより形成されてもよい。
【００３３】
識別マーク上に単一周波数のダミーデータが記録されてもよい。
【００３４】
アドレス情報の下位ビットを示す副情報の数は、アドレス情報の上位ビットを示す副情報の数より多くてもよい。
【００３５】
本発明の光ディスク媒体は、記録再生領域とディスク管理領域とを含む光ディスク媒体であって、記録再生領域は第１トラックグルーブを含み、第１トラックグルーブに沿って主情報が記録され、ディスク管理領域は、内周部および外周部の少なくとも一方に形成された第２トラックグルーブを含み、第２トラックグルーブは、予め決められた複数の蛇行形状を含み、光ディスク媒体の管理情報は、複数の蛇行形状の組み合わせにより表される。
【００３６】
複数の蛇行形状は、立ち上がり変位および立ち下がり変位の少なくとも一方が互いに異なるように形成された第１蛇行形状および第２蛇行形状と正弦波形に形成された第３蛇行形状とを含んでもよい。
【００３７】
第１トラックグルーブが予め決められた複数の蛇行形状を含み、１ビットの情報を示す蛇行形状の数が、ディスク管理領域と記録再生領域とで異なってもよい。
【００３８】
第１トラックグルーブが予め決められた複数の蛇行形状を含み、第１トラックグルーブと第２トラックグルーブとは蛇行形状の周波数が異なってもよい。
【００３９】
第１トラックグルーブが予め決められた複数の蛇行形状を含み、第１トラックグルーブより第２トラックグルーブの方が蛇行形状の振幅が大きくてもよい。
【００４０】
第２トラックグルーブのトラック間で隣接する蛇行形状の位相差がπ／２×（２ｎ＋１）の一定値（ｎは整数）であってもよい。
【００４１】
第１トラックグルーブより第２トラックグルーブの方がトラックピッチが大きくてもよい。
【００４２】
識別マークは、トラックグルーブに形成される少なくとも１つの蛇行形状の位相を変えて形成されてもよい。
【００４３】
識別マークは、トラックグルーブに形成される少なくとも１つの蛇行形状の周波数を変えて形成されてもよい。
【００４４】
複数の蛇行形状は同一周期で形成されてもよい。
【００４５】
本発明の光ディスク装置は、トラックグルーブを有し、トラックグルーブに沿って主情報が記録される光ディスク媒体であって、トラックグルーブは複数のブロックに分割されており、複数のブロックのそれぞれは複数のフレームを含み、複数のフレームのそれぞれは、予め決められた複数の蛇行形状の内、副情報を示す１つの蛇行形状を有しており、複数のブロックのそれぞれは、アドレス情報を有しており、アドレス情報は、少なくとも１つのフレームの蛇行形状によって示される少なくとも１つの副情報の並びによって表される光ディスク媒体からアドレス情報を再生する光ディスク装置であって、光ディスク媒体から主情報と副情報とを読み出して再生信号を生成する変換部と、再生信号からＴＥ信号およびＲＦ信号を生成する再生信号演算部と、ＴＥ信号から基準クロック信号を生成する基準クロック信号生成部と、ＴＥ信号から２値化パルス信号を生成する２値化パルス信号生成部と、ＲＦ信号からブロックマーク信号を検出するブロックマーク信号検出部と、基準クロック信号、２値化パルス信号およびブロックマーク信号から副情報信号を生成する副情報生成部とを備え、そのことにより上記目的が達成される。
【００４６】
本発明の光ディスク再生方法は、トラックグルーブを有し、トラックグルーブに沿って主情報が記録される光ディスク媒体であって、トラックグルーブは複数のブロックに分割されており、複数のブロックのそれぞれは複数のフレームを含み、複数のフレームのそれぞれは、予め決められた複数の蛇行形状の内、副情報を示す１つの蛇行形状を有しており、複数のブロックのそれぞれは、アドレス情報を有しており、アドレス情報は、少なくとも１つのフレームの蛇行形状によって示される少なくとも１つの副情報の並びによって表される光ディスク媒体からアドレス情報を再生する光ディスク再生方法であって、光ディスク媒体から主情報と副情報とを読み出して再生信号を生成する工程と、再生信号からＴＥ信号およびＲＦ信号を生成する工程と、ＴＥ信号から基準クロック信号を生成する工程と、ＴＥ信号から２値化パルス信号を生成する工程と、ＲＦ信号からブロックマーク信号を検出する工程と、基準クロック信号、２値化パルス信号およびブロックマーク信号から副情報信号を生成する工程とを包含し、そのことにより上記目的が達成される。
【発明の効果】
【００４７】
以上のように本発明は、主情報がブロック単位で記録されるトラックグルーブに複数の所定形状のウォブルを形成する。ウォブルは、上記ブロックを所定数Ｋに分割したフレームにおいて一義的に記述される副情報を示す。副情報を示すウォブルをブロック内の複数のフレーム毎に繰り返し形成することによりオーバーヘッドを少なく若しくは無しにアドレス情報を形成することができる。しかも単一周波数のウォブル再生信号（すなわち同期信号）を得ることができ、高密度化に適した光ディスク媒体を提供することができる。
【００４８】
また、副情報群の一部の副情報がセクタ番号もしくはＩＤ番号を示す。このことにより、連続読み出し動作でない場合（例えば、シーク直後）には、ブロックの先頭のブロックマークから読み出すのではなく、シーク直後のセクタのセクタ番号もしくはＩＤ番号を読み出すことでブロック内の任意のセクタからブロックＩＤを読み出すことが可能である。また、ブロック内の複数のセクタを含むセクタ群単位でブロックＩＤを確定させることにより、すばやいタイミングで後処理（データの読み出しおよび記録動作など）を行うことが可能である。
【００４９】
また、ブロックＩＤが１ブロック内で複数回繰り返し形成される。このことにより、ブロックＩＤの読み取りの信頼性を高めることが可能である。
【００５０】
また、リードイン領域およびリードアウト領域内において、ディスク管理情報を、予め形成される鋸波状のウォブルが示す。これによりトラッキング方式をディスク一面で統一することができ光ディスク装置を簡略化することが可能である。
【００５１】
また、リードイン領域およびリードアウト領域と記録再生領域との間でウォブルの周波数を異ならせる。このことにより内周部および外周部のリードイン領域およびリードアウト領域の限られた領域に効率的にディスク管理情報を予め記録させることが可能である。
【図面の簡単な説明】
【００５２】
【図１】本発明の実施の形態１における光ディスク媒体のトラックグルーブを示す図
【図２】本発明の実施の形態１における光ディスク媒体を示す図
【図３】本発明の実施の形態２における光ディスク媒体のトラックグルーブを示す図
【図４】本発明の実施の形態３における光ディスク媒体のトラックグルーブを示す図
【図５】本発明の実施の形態４における光ディスク媒体のトラックグルーブを示す図
【図６】本発明の実施の形態５における光ディスク媒体のトラックグルーブを示す図
【図７】本発明の実施の形態６における光ディスク媒体のトラックグルーブを示す図
【図８】本発明の実施の形態７における光ディスク媒体のトラックグルーブを示す図
【図９】本発明の実施の形態７における光ディスク媒体を示す図
【図１０】本発明の実施の形態７における光ディスクのアドレス構成を示す図
【図１１】本発明の実施の形態８における光ディスク媒体のトラックグルーブを示す図
【図１２】本発明の実施の形態８における光ディスクのアドレス構成を示す図
【図１３】本発明の実施の形態９における光ディスク媒体のトラックグルーブを示す図
【図１４】本発明の実施の形態９における光ディスクのアドレス構成を示す図
【図１５】本発明の実施の形態１０における光ディスク媒体のトラックグルーブを示す図
【図１６】本発明の実施の形態７における光ディスクのアドレス構成を示す図
【図１７】本発明の実施の形態１２における光ディスク媒体のトラックグルーブを示す図
【図１８】本発明の実施の形態１２における光ディスク媒体のトラックグルーブを示す図
【図１９】本発明の実施の形態１２における光ディスク媒体のトラックグルーブを示す図
【図２０】本発明の実施の形態１２における光ディスク媒体のトラックグルーブを示す図
【図２１】本発明の実施の形態１３における光ディスクのアドレス構成を示す図
【図２２】本発明の実施の形態１１における光ディスクのアドレス構成を示す図
【図２３Ａ】本発明の実施の形態１４における光ディスク装置を示す図
【図２３Ｂ】本発明の実施の形態１４における光ディスク再生方法を示すフローチャート
【図２４】本発明の実施の形態１５における光ディスク媒体を示す図
【図２５Ａ】本発明の実施の形態１５における光ディスク媒体のトラックグルーブを示す図
【図２５Ｂ】本発明の実施の形態１５における光ディスク媒体のトラックグルーブを示す図
【図２６Ａ】本発明の実施の形態１５における光ディスク媒体のトラックグルーブを示す図
【図２６Ｂ】本発明の実施の形態１５における光ディスク媒体のトラックグルーブを示す図
【図２７Ａ】本発明の実施の形態１６における光ディスク媒体のトラックグルーブを示す図
【図２７Ｂ】本発明の実施の形態１６における光ディスク媒体のトラックグルーブを示す図
【図２８Ａ】本発明の実施の形態１７における光ディスク媒体のトラックグルーブを示す図
【図２８Ｂ】本発明の実施の形態１７における光ディスク媒体のトラックグルーブを示す図
【図２９Ａ】本発明の実施の形態１８における光ディスク媒体のトラックグルーブを示す図
【図２９Ｂ】本発明の実施の形態１８における光ディスク媒体のトラックグルーブを示す図
【図３０】従来の光ディスク媒体を示す図
【図３１】本発明の実施の形態２０における光ディスク媒体のトラックグルーブを示す図
【図３２】本発明の実施の形態２１における光ディスク媒体のトラックグルーブを示す図
【図３３】本発明の実施の形態２２における光ディスク媒体のトラックグルーブを示す図
【図３４】本発明の実施の形態１４における光ディスク装置を示す図
【図３５】本発明の実施の形態１９における光ディスク媒体のトラックグルーブを示す図
【図３６】本発明の実施の形態１５における光ディスク媒体のトラックグルーブを示す図
【発明を実施するための形態】
【００５３】
以下本発明の実施の形態について、図面を参照しながら説明する。
【００５４】
（実施の形態１）
図２は本発明の実施の形態１における光ディスク媒体２０を示す図である。図２において、光ディスク記録面１０１にはスパイラル状にトラックグルーブ１０２が形成されている。図１に光ディスク媒体２０のトラックグルーブ１０２を示す。トラックグルーブ１０２は、図１に示されるように１ブロック単位毎に特徴づけられた形状で構成されている。図１においてブロックマーク（識別マーク）２１０は、ブロックの先頭を示す指標である。
【００５５】
本実施の形態のトラックグルーブ１０２おいては、トラックグルーブ１０２を寸断して設けられているブロックマーク２１０を先頭として、所定形状のウォブル（蛇行）２６および２７が、ブロックをＮ分割（Ｎ＝３２或いはＮ＝１６）したセクタ２５（単位区間）内をさらにＭ分割（Ｍ＝２６）したフレーム（単位小区間）＃０〜＃２５内において周期的に設けられている。ウォブル２６および２７はその形状が互いに異なるように形成され、上記フレーム＃０〜＃２５内において一義的に記述される副情報（“０”、“１”若しくは“Ｓ”）をそれぞれ示す。具体的には図１に示されるように、一周期あたり、副情報の“１”か“０”かに応じて、その立ち上がり変位と立ち下がり変位とが異なる鋸波状にウォブル２６および２７が形成されている。ウォブル２６および２７を組み合わせることにより副情報の並び（副情報群）が示される。
【００５６】
この立ち上がりの傾斜の差は差動プッシュプル検出で再生した信号から容易に検出することができる。即ち走査レーザービームをトラックグルーブ１０２に照射し、トラック垂直方向（すなわちラジアル方向）に分割された受光素子の差動信号（すなわちプッシュプル信号）を生成すれば、副情報が“０”か“１”かによって立ち上がり、立ち下がりの傾斜の異なる検出信号が得られる。この傾斜の差は、例えば、検出信号を微分することによって容易に識別できる。
【００５７】
従って、この微分値の大小から副情報を検出できることになる。しかし、微分を用いる場合、当然ノイズ成分は増強されるから、Ｓ／Ｎ比の悪い高密度光ディスク媒体では検出エラーが生じることが懸念される。そこで本実施の形態ではウォブル形状の同一のパターンを複数回繰り返し形成することによって検出の信頼性を高めている。
【００５８】
まず、主情報（例えば書き換え可能なユーザデータ）はブロックマーク２１０を起点に、トラックグルーブ１０２に沿って所定長、例えば６４ＫＢ長（或いは３２ｋＢ長）のブロック単位２４１で記録される。主情報は濃淡の記録マーク２８として記録され得る。記録マーク２８は記録層を相変化させることにより記録される。ブロック単位とは情報処理上の単位であり、例えばＥＣＣブロックなどを意味する。ブロック単位２４１はＮ＝３２として３２分割（或いはＮ＝１６として１６分割）されたそれぞれ２ＫＢのサブブロックであるセクタ２５を含む。セクタ２５はＭ＝２６として２６分割されたフレーム＃０〜＃２５を含む。ここでフレームとは、トラックグルーブ１０２上に記録される各情報の小単位である。これら各情報が記録されるフレーム＃０〜＃２５に対応するフレーム２２および２３に示されるとおり、同一のフレームにはそれぞれ同一形状のウォブルのみが予め周期的に形成されている。これによりフレーム２２および２３のそれぞれに１ビットの副情報“０”、“１”若しくは“Ｓ”を記述することにより、各セクタに含まれる２６ビット（Ｍ＝２６）の副情報群で当該ブロックＩＤ（アドレス情報）を表記することになる。フレーム＃０〜＃２５の先頭部にはＳＹＮＣマークが記録される。ＳＹＮＣマークにより主情報を記録マークとして記録するときにフレームの先頭を示す同期信号が得られる。ウォブル周期により光ディスク媒体の回転と記録信号との同期をとる基準クロックが得られ、これはアドレス情報を再生するときの同期信号としても用いられる。
【００５９】
ブロックＩＤは、アドレスの番号を表す情報だけでなく、エラー訂正符号、エラー検査符号、パリティ符号等の誤りを訂正或いは検出するための符号を含めても構わない。
【００６０】
フレーム２２には立ち上がり傾斜が緩く、立ち下がり傾斜が急峻な形状のウォブル２６のみが、フレーム２３にはこれとは反対に、立ち上がり傾斜が急峻で、立ち下がり傾斜が緩いウォブル２７のみが、それぞれ形成されている。例えば１フレームが８ウォブル周期として、１セクタ内には８×２６＝２０８個のウォブル２６および２７が形成されることになる。
【００６１】
ノイズによって多少の検出エラーはあっても、２０８個のウォブル２６および２７の立ち上がりと立ち下がりの差が総体として検知できれば、セクタ２５に記録されている副情報群を正確に判別することができる。また、Ｎ＝３２として３２回（或いはＮ＝１６として１６回）同一ブロックＩＤを繰り返すことで読み出しの信頼性をさらに向上させている。具体的な判別方法としては、例えば、差動プッシュプル信号の微分波形をその立ち上がり、立ち下がり毎にサンプルホールドし、立ち上がり、立ち下がりのそれぞれ積算したものどおしを比較するようにすれば、ノイズ成分がキャンセルされて、副情報成分のみを抽出することができる。
【００６２】
なお、本実施形態の場合、ブロックマーク２１０はトラックグルーブ１０２を寸断して設けられているため、ブロックマーク２１０に主情報を上書きするのは問題がある。グルーブの有り無しで反射光量が大きく異なり、再生信号に対する外乱として作用するからである。そこで、本実施形態ではブロックマーク２１０を含む領域をＶＦＯ記録領域２１として割り当てている。ＶＦＯ記録領域２１はこれに続く記録された主情報を再生するためにＰＬＬを引き込ませるための単一周波数信号であるＶＦＯ２１１が記録される領域のことである。ＶＦＯ２１１は、多少の外乱変動があっても局所的なジッタとなるだけであり、直接エラーを引き起こすことはない。さらに、ＶＦＯは単一周波数であるから、ブロックマークによる外乱を周波数分離することも可能である。
【００６３】
本実施の形態では、１ブロックであるブロック単位２４１を３２（或いは１６）個のセクタ２５に分割し、それぞれのセクタ２５を２６個に分割したフレーム＃０〜＃２５の区間に、副情報に応じた形状のウォブル２６および２７を予め形成する。１個のセクタ２５に記録される副情報群でブロックＩＤが表されるので、ブロック内の３２個（或いは１６個）のセクタ２５で同一のブロックＩＤ（アドレス情報）を繰り返し形成することが可能である。
【００６４】
この場合、前記副情報群の中には、ブロックＩＤ（アドレス情報）の繰り返し番号を副情報群に含めることも可能である。繰り返し番号を副情報群に含めることで、アドレス番号を確定する際の多数決処理に用いることも可能であるし、ブロック内のどのセクタを読み出しているか、或いは、ブロック内の何番の目の副情報群が誤っているかなどの情報が得られ、信号処理上有為な情報を得ることが可能である。
【００６５】
また、複数の記録面をもった光ディスクにおいて、記録面の層の番号を、副情報群に含めることも可能である。層番号を含めることで容易に、記録面を判別することが可能である。
【００６６】
以上のように本実施の形態によれば、１情報ブロックをＮ＝３２として３２（或いはＮ＝１６として１６）のセクタに分割し、それぞれのセクタをＭ＝２６として２６に分割したフレームの区間に副情報に応じた形状のウォブルを予め形成する。ブロック内の３２個（或いは１６個）のセクタで同一のブロックＩＤ（アドレス情報）を繰り返し形成することにより、オーバーヘッド無しに、またグルーブ間にプレピットを設けることなく、アドレスを形成することができる。
【００６７】
さらに、本実施の形態で示されるウォブルは副情報によって立ち上がり、立ち下がりの形状は異にしても、ウォブルの周波数そのものは変化しない。これにより記録のためのクロック信号を抽出するときは、その周波数を通過させるだけの帯域を有したバンドパスフィルターを用いてノイズ成分を除去した後、単にＰＬＬを用いて同期逓倍すれば、ジッタの少ないクロック信号を得ることができる。
【００６８】
また、ブロックＩＤを繰り返すことでブロックＩＤの読み出し信頼性を向上されることが可能である。
【００６９】
本実施の形態において、ブロックＩＤをフレーム数と同じ２６ビットとしたが、アドレス情報を２６ビットとすることに限らず、光ディスクに記録するデータ容量或いはエラー訂正符号の種類と方式等に応じて、必要なブロックＩＤ（アドレス情報）のビット数を副情報群に割り当てても構わない。
【００７０】
本実施の形態では、ブロック単位においてセクタをブロックをＮ＝３２として３２個（或いはＮ＝１６として１６個）に分割したが、本発明はこのようなセクタの数に制約されるものではない。
【００７１】
本実施の形態において、副情報は、１セクタをＭ＝２６として２６個に分割したフレーム単位に記録したが、本発明はこのようなフレームの数に制約されるものではない。
【００７２】
本実施の形態において、副情報を鋸波状のウォブルに変調して記録することとしたが、本発明は、このようなウォブルの形状に制約されるものではない。例えば後述する図４および図７に示したウォブルに副情報を変調して配置することも可能である。
【００７３】
本実施の形態において、ブロックマークをトラックグルーブを寸断して設けたが、本発明は、このようなブロックマークの形状に制約されるものではない。例えば後述する図５および図６に示したウォブルにブロックマークを変調して配置することも可能である。
【００７４】
（実施の形態２）
図３は実施の形態２におけるトラックグルーブ１０を示す図である。トラックグルーブ１０は、図２に示す実施の形態１の光ディスク媒体２０のトラックグルーブ１０２に対応する。本実施の形態では、フレーム２２に記録されるような副情報“０”およびフレーム２３に記録されるような副情報“１”の他に、フレーム２４に記録される副情報“Ｓ”を示すウォブル２８をトラックグルーブ１０２に設けたことを特徴とする。副情報“０”と“１”とを組み合わせてアドレス情報を表記することは実施の形態１で既に述べた通りである。副情報“Ｓ”はブロック先頭に設けられ、図１に示すブロックマーク２１０の代わりに、ブロック先頭を表示するのに用いる。このようにすれば、ブロックマーク２１０に要するオーバーヘッドも無くすことができる。本実施の形態では副情報“Ｓ”を示すウォブル２８は立ち上がり、立ち下がりとも急峻なウォブルとして形成されている。
【００７５】
（実施の形態３）
図４は実施の形態３におけるトラックグルーブ１１を示す図である。トラックグルーブ１１は、図２に示す実施の形態１の光ディスク媒体２０のトラックグルーブ１０２に対応する。実施の形態１および２では、ウォブルの一周期が副情報に応じて、その立ち上がり変位と立ち下がり変位が異なるように形成される例について述べた。本実施の形態では、ウォブル２９および３０は副情報に応じてデューティー比が異なるように形成されている。即ち、図４に示されるようにフレーム３２に記録されるような副情報“０”を示すウォブル２９は片側（図４では谷側）の変位が広く、フレーム３４に記録されるような副情報“１”を示すウォブル３０は反対側（図４では山側）の変位が広くなるように形成する。このような特徴により、副情報を判別する際、再生信号を微分する必要がなく、クロックタイマーなどを用いてデューティーを計測すればよいので、ノイズの影響を軽減できる。
【００７６】
（実施の形態４）
図５は実施の形態４におけるトラックグルーブ２００を示す図である。トラックグルーブ２００は、図２に示す実施の形態１の光ディスク媒体２０のトラックグルーブ１０２に対応する。実施の形態１では、トラックグルーブ１０２を寸断してブロックマーク２１０を形成したが、本実施の形態ではブロックマーク２１０の代わりにトラックグルーブ２００を局所的に太くしたブロックマーク２１２を形成する。主情報の記録再生時は、ブロックマーク２１２を検出することによりブロックの先頭位置を判別することが出来る。ブロックマーク２１２を用いることでトラックグルーブ２００が寸断されることがないので、ブロックマーク２１２上にも主情報を記録することができる。結果的にオーバーヘッドを低減することができる。
【００７７】
（実施の形態５）
図６は実施の形態５におけるトラックグルーブ２０１を示す図である。トラックグルーブ２０１は、図２に示す実施の形態１の光ディスク媒体２０のトラックグルーブ１０２に対応する。実施の形態１では、トラックグルーブ１０２を寸断してブロックマーク２１０を形成したが、本実施の形態ではブロックマーク２１０の代わりにウォブルの振幅を局所的に大きくしたブロックマーク２１３を形成する。主情報の記録再生時は、ブロックマーク２１３を検出することによりブロックの先頭位置を判別することが出来る。実施の形態４と同様、ブロックマーク２１３を用いることでトラックグルーブ２０１が寸断されることがなく、ブロックマーク２１３上にも主情報を記録することができる。
【００７８】
（実施の形態６）
図７は実施の形態６におけるトラックグルーブ２０２およびランド２０３を示す図である。本実施の形態の光ディスク媒体は、トラックグルーブ２０２の片側のエッジにのみウォブル２２０および２３０が設けられたことを特徴とする。実施の形態１〜５においては、トラックグルーブ上に主情報を記録する、いわゆるグルーブ記録形態の光ディスク媒体について述べてきたが、光ディスク媒体はこれ以外に、トラックグルーブに沿ってグルーブ上とランド（隣接するグルーブで挟まれた領域）上の両方に主情報を記録する、いわゆるランドグルーブ形態を有するものがある。本実施の形態は、ランドグルーブ形態を有する光ディスク媒体への実施の形態１〜５で説明してきたウォブルの適用例である。
【００７９】
図７において、トラックグルーブ２０２の片側のエッジに副情報“０”および“１”が記録されている。フレーム２２１の区間に形成されたウォブル２２０が副情報“０”を示し、フレーム２３１の区間に形成されたウォブル２３０が副情報“１”を示している。これによりトラックグルーブ２０２とこれに隣接するランド２０３とが同一のアドレスで表記される。主情報はトラックグルーブ２０２およびランド２０３の両方に記録される。このように主情報を記録をすることでトラックピッチを狭くすることができ、さらなる高密度化が可能となる。
【００８０】
（実施の形態７）
図９は本発明の実施の形態７における光ディスク媒体８００を示す図である。図９において、光ディスク記録面８０１にはスパイラル状にトラックグルーブ８０２が形成されている。図８に光ディスク媒体８００のトラックグルーブ８０２を示す。トラックグルーブ８０２は、図８に示されるように１ブロック単位毎に特徴づけられた形状で構成されている。図８においてブロックマーク（識別マーク）８１０は、ブロックの先頭を示す指標である。
【００８１】
本実施の形態のトラックグルーブ８０２おいては、トラックグルーブ８０２を寸断して設けられているブロックマーク８１０を先頭として、所定形状のウォブル（蛇行）８２６および８２７が、ブロックをＮ分割（Ｎ＝３２或いはＮ＝１６）したセクタ８２５（単位区間）内をさらにＭ分割（Ｍ＝２６）したフレーム（単位小区間）＃０〜＃２５内において周期的に設けられている。ウォブル８２６および８２７はその形状が互いに異なるように形成され、上記フレーム＃０〜＃２５内において一義的に記述される副情報（“０”、“１”若しくは“Ｓ”）をそれぞれ示す。具体的には図８に示されるように、一周期あたり、副情報の“１”か“０”かに応じて、その立ち上がり変位と立ち下がり変位とが異なる鋸波状にウォブル８２６および８２７が形成されている。
【００８２】
この立ち上がりの傾斜の差は差動プッシュプル検出で再生した信号から容易に検出することができる。即ち走査レーザービームをトラックグルーブ８０２に照射し、トラック垂直方向（すなわちラジアル方向）に分割された受光素子の差動信号（すなわちプッシュプル信号）を生成すれば、副情報が“０”か“１”かによって立ち上がり、立ち下がりの傾斜の異なる検出信号が得られる。この傾斜の差は、例えば、検出信号を微分することによって容易に識別できる。
【００８３】
従って、この微分値の大小から副情報を検出できることになる。しかし、微分を用いる場合、当然ノイズ成分は増強されるから、Ｓ／Ｎ比の悪い高密度光ディスク媒体では検出エラーが生じることが懸念される。そこで本実施の形態ではウォブル形状の同一のパターンを複数回繰り返し形成することによって検出の信頼性を高めている。
【００８４】
まず、主情報はブロックマーク８１０を起点に、トラックグルーブ８０２に沿って所定長、例えば６４ＫＢ長（或いは３２ｋＢ長）のブロック単位８４１で記録される。主情報は記録マーク２８として記録され得る。ブロック単位とは情報処理上の単位であり、例えばＥＣＣブロックなどを意味する。ブロック単位８４１はＮ＝３２として３２分割（或いはＮ＝１６として１６分割）されたそれぞれ２ＫＢのサブブロックであるセクタ８２５を含む。セクタ８２５はＭ＝２６として２６分割されたフレーム＃０〜＃２５を含み、フレーム＃０〜＃２５の先頭部にはＳＹＮＣマークを記録してデータ再生時の同期信号とする。
【００８５】
ここでフレームとは、トラックグルーブ８０２上に記録される各情報の小単位である。これら各情報が記録されるフレーム＃０〜＃２５に対応するフレーム８２２および８２３に示されるとおり、同一のフレームにはそれぞれ同一形状のウォブルのみが予め周期的に形成されている。これによりフレーム８２２および８２３のそれぞれに１ビットの副情報“０”、“１”若しくは“Ｓ”を記述することにより、各セクタに含まれる２６ビット（Ｍ＝２６）の副情報群で当該ブロックＩＤ（アドレス情報）を表記することになる。
【００８６】
ここで、フレーム＃０〜＃２５それぞれに１ビットの副情報を割り当てるが、そのうちの例えば８フレーム（すなわち８ビット）を１バイトとしてブロックＩＤの一部として割り当て、続く８フレームをブロックＩＤのパリティの１バイトとして、続く５フレームをセクタ番号の５ビットとして、残り５ビットをセクタ番号のパリティの５ビットとして割り当てる。セクタ番号は、複数のセクタの内の何番目のセクタであるかを示す。各パリティは、誤り検査符号および誤り訂正符号の少なくとも一方を示す。
【００８７】
以上の１セクタ分の副情報を複数のセクタ８２５、例えば４つのセクタ８２５（すなわちセクタ群８２５’）に渡って配置する。４つのセクタ８２５にブロックＩＤの一部情報を１バイトずつ配置することで４セクタで８ビット×４＝３２ビットのブロックＩＤを表すことが可能である。
【００８８】
図１０に、本実施の形態における１ブロック単位８４１内のセクタ８２５およびフレーム＃０〜＃２５に記録される副情報のフォーマットの一例を示す。図１０において、縦方向にセクタ番号を、横方向に各セクタ内のフレーム番号及びフレーム内の副情報を示す。（ ）内のセクタ番号はブロック単位８４１を１６個のセクタに分割した場合を示す。各フレーム＃０〜＃２５は１ビットの副情報を有する。本実施の形態では、ブロック単位８４１はＥＣＣブロックであるとする。
【００８９】
セクタ０の内容について説明する。セクタ０のフレーム＃０〜＃２５の内、フレーム＃０〜＃７にはＥＣＣブロックアドレスの４バイト（３２ビット）の最初の１バイトをＬＳＢから順に埋め込む。続くフレーム＃８〜＃１５には、ＥＣＣブロックアドレスのパリティの４バイトのうちの最初の１バイトの副情報を埋め込む。フレーム＃１６〜＃２０にはセクタ番号を表す５ビットの副情報を埋め込む。フレーム＃２１〜＃２５には、セクタ番号のパリティを表す５ビットの副情報を埋め込む。図８に示すように、セクタ０にはブロックＩＤの一部として１バイトの “０１ｈ”が埋め込まれている。
【００９０】
セクタ１の内容について説明する。セクタ１のフレーム＃０〜＃２５の内、フレーム＃０〜＃７にはＥＣＣブロックアドレスの４バイトの第２の１バイトを下位ビットから順に埋め込む。続くフレーム＃８〜＃１５には、ＥＣＣブロックアドレスのパリティの４バイトのうちの第２の１バイトの副情報を埋め込む。フレーム＃１６〜＃２０にはセクタ番号を表す５ビットの副情報を埋め込む。フレーム＃２１〜＃２５には、セクタ番号のパリティを表す５ビットの副情報を埋め込む。図８に示すように、セクタ１にはブロックＩＤの一部として１バイトの “２３ｈ”が埋め込まれている。
【００９１】
セクタ２の内容について説明する。セクタ２のフレーム＃０〜＃２５の内、フレーム＃０〜＃７にはＥＣＣブロックアドレスの４バイトの第３の１バイトを下位ビットから順に埋め込む。続くフレーム＃８〜＃１５には、ＥＣＣブロックアドレスのパリティの４バイトのうちの第３の１バイトの副情報を埋め込む。フレーム＃１６〜＃２０にはセクタ番号を表す５ビットの副情報を埋め込む。フレーム＃２１〜＃２５には、セクタ番号のパリティを表す５ビットの副情報を埋め込む。図８に示すように、セクタ２にはブロックＩＤの一部として１バイトの “４５ｈ”が埋め込まれている。
【００９２】
セクタ３の内容について説明する。セクタ３のフレーム＃０〜＃２５の内、フレーム＃０〜＃７にはＥＣＣブロックアドレス４バイトの第４の１バイトを下位ビットから順に埋め込む。続くフレーム＃８〜＃１５には、ＥＣＣブロックアドレスのパリティの４バイトのうちの第４の１バイトの副情報を埋め込む。フレーム＃１６〜＃２０にはセクタ番号を表す５ビットの副情報を埋め込む。フレーム＃２１〜＃２５には、セクタ番号のパリティを表す５ビットの副情報を埋め込む。図８に示すように、セクタ３にはブロックＩＤの一部として１バイトの“６７ｈ”が埋め込まれている。
【００９３】
このように、４つのセクタ８２５の１バイトずつの情報を組み合わせて３２ビットのブロックＩＤ＝“７６５４３２１０ｈ”を表す。
【００９４】
４バイトのブロックＩＤのセクタ８２５への配置順序は、読み出し方向に従い、読み出しの早いセクタ８２５から順にブロックＩＤの下位ビットから上位ビットへと配置することが望ましい。
【００９５】
セクタ４以降の内容について説明する。セクタ４〜７は、上述したセクタ０〜３の内容を繰り返し記述する。同様に、セクタ８〜１１、セクタ１２〜１５、セクタ１６〜１９、セクタ２０〜２３、セクタ２４〜２７およびセクタ２８〜３１も上述したセクタ０〜３の内容を繰り返し記述する。
【００９６】
以上のように１ブロック内の３２セクタを４セクタ毎のまとまりとして８回（１ブロック内が１６セクタの場合は４回）繰り返し記述する。これにより１ブロック内に、エラー訂正が可能なパリティ情報の付加が可能となり、ブロックＩＤの読み出しの信頼性を高めることが可能である。
【００９７】
また、セクタ番号を記述することにより、ブロックＩＤの１バイトが欠落した時に、どの１バイトが欠落したのかセクタ番号を読み取ることで容易に判別することが可能であり、ブロックＩＤの読み出し信頼性を高めることが可能である。
【００９８】
また、セクタ番号を記述することにより、連続読み出し動作中でない場合（例えばシーク直後）、ブロックの先頭のブロックマーク８１０から読み出すのではなく、シーク直後のセクタ８２５のセクタ番号を読み出すことでブロック内の任意のセクタ８２５から４つのセクタ８２５の副情報を読み出して、ブロックＩＤを確定することが可能である。
【００９９】
また、４セクタ毎（８ｋＢ＝２ｋＢ×４）のセクタ群８２５’でブロックＩＤが確定するので、すばやいタイミングで後処理（データの読み出し、記録動作など）を行うことが可能である。
【０１００】
また、ディスク上の傷（ディフェクト）によって４セクタ程度のブロックＩＤの読み取り欠落が生じたとしても、ブロック内でブロックＩＤの内容を繰り返しているため、欠落のないセクタ群でブロックＩＤを読み出すことが可能であり、高いブロックＩＤ読み出し信頼性が保証されている。
【０１０１】
また、上述のセクタ番号の代わりに、１セクタ群８２５’の４つのセクタ８２５の内の何番目セクタかを示すＩＤ番号を記述してもよい。この場合の副情報の配置を図１６に示す。図１０に示す後半フレーム（５ビットのセクタ番号と５ビットのセクタ番号のパリティ）の代わりに、図１６では２ビットのＩＤ番号、２ビットのＩＤ番号のパリティ、および６ビットのブロックＩＤの繰り返し番号が配置されている。繰り返し番号は、繰り返し示されるブロックＩＤ内の何番目のブロックＩＤであるかを示す。
【０１０２】
ＩＤ番号を用いることでセクタ番号で必要であった５ビットの副情報を２ビットに減らすことが可能である。また、残りの８ビットを用いてＩＤ番号の誤り訂正能力を向上させることや、ブロックＩＤの繰り返し回数を記述することが可能である。
【０１０３】
ＩＤ番号を記述することにより、連続読み出し動作中でない場合（例えばシーク直後）、ブロックの先頭のブロックマーク８１０から読み出すのではなく、シーク直後のセクタ８２５のＩＤ番号を読み出すことでブロック内の任意のセクタ８２５から４つのセクタ８２５の副情報を読み出して、ブロックＩＤを確定することが可能である。
【０１０４】
また、ブロックＩＤの繰り返し番号を副情報群に含めることで、アドレス番号を確定する際の多数決処理に繰り返し番号を用いることも可能である。ブロック内のどのセクタ８２５を読み出しているか、或いは、ブロック内の何番の目の副情報群が誤っているかなどの情報が得られ、信号処理上有為な情報を得ることが可能である。
【０１０５】
また、複数の記録面をもった光ディスクにおいて、記録面の層の番号を、副情報群に含めることも可能である。層番号を含めることで容易に記録面を判別することが可能である。例えば図１６の同一の繰り返し番号４つの内の１つを記録面の層番号に置きかえることも可能である。層番号を副情報群に含めることで容易に記録面を判別することが可能である。
【０１０６】
本実施の形態において、ブロックＩＤを３２ビットとしたが、アドレス情報を３２ビットとすることに限らず、光ディスクに記録するデータ容量或いはエラー訂正符号の種類と方式等に応じて、必要なブロックＩＤ（アドレス情報）のビット数を割り当てても構わない。
【０１０７】
本実施の形態において、ブロック単位においてセクタをＮ＝３２として３２個（或いはＮ＝１６として１６個）に分割することとしたが、本発明はこのようなセクタの数に制約されるものではない。
【０１０８】
本実施の形態において、副情報は、１セクタをＭ＝２６として２６個に分割したフレーム単位に記録するとしたが、本発明はこのようなフレームの数に制約されるものではない。
【０１０９】
本実施の形態において、副情報を鋸波状のウォブルに変調して記録することとしたが、本発明は、このようなウォブルの形状に制約されるものではない。例えば図４および図７に示したウォブルに副情報を変調して配置することも可能である。
【０１１０】
本実施の形態において、ブロックマークをトラックグルーブを寸断して設けたが、本発明は、このようなブロックマークの形状に制約されるものではない。例えば図５および図６に示したウォブルにブロックマークを変調して配置することも可能である。
【０１１１】
（実施の形態８）
図１１は本発明の実施の形態８におけるトラックグルーブ１１０２を示す。トラックグルーブ１１０２は図２に示す光ディスク媒体２０のトラックグルーブ１０２に対応する。トラックグルーブ１１０２は図１１に示されるように１ブロック単位毎に特徴づけられた形状で構成されている。図１１においてブロックマーク（識別マーク）１１１０は、ブロックの先頭を示す指標である。
【０１１２】
本実施の形態のトラックグルーブ１１０２おいては、トラックグルーブ１１０２を寸断して設けられているブロックマーク１１１０を先頭として、所定形状のウォブル（蛇行）１１２６および１１２７が、ブロックをＮ分割（Ｎ＝３２或いはＮ＝１６）したセクタ１１２５（単位区間）内をさらにＭ分割（Ｍ＝２６）したフレーム（単位小区間）＃０〜＃２５内において周期的に設けられている。ウォブル１１２６および１１２７はその形状が互いに異なるように形成され、上記フレーム＃０〜＃２５内において一義的に記述される副情報（“０”、“１”若しくは“Ｓ”）をそれぞれ示す。具体的には図１１に示されるように、一周期あたり、副情報の“１”か“０”かに応じて、その立ち上がり変位と立ち下がり変位とが異なる鋸波状にウォブル１１２６および１１２７が形成されている。
【０１１３】
この立ち上がりの傾斜の差は差動プッシュプル検出で再生した信号から容易に検出することができる。即ち走査レーザービームをトラックグルーブ１１０２に照射し、トラック垂直方向（すなわちラジアル方向）に分割された受光素子の差動信号（すなわちプッシュプル信号）を生成すれば、副情報が“０”か“１”かによって立ち上がり、立ち下がりの傾斜の異なる検出信号が得られる。この傾斜の差は、例えば、検出信号を微分することによって容易に識別できる。
【０１１４】
従って、この微分値の大小から副情報を検出できることになる。しかし、微分を用いる場合、当然ノイズ成分は増強されるから、Ｓ／Ｎ比の悪い高密度光ディスク媒体では検出エラーが生じることが懸念される。そこで本実施の形態ではウォブル形状の同一のパターンを複数回繰り返し形成することによって検出の信頼性を高めている。
【０１１５】
まず、主情報はブロックマーク１１１０を起点に、トラックグルーブ１１０２に沿って所定長、例えば６４ＫＢ長（或いは３２ｋＢ長）のブロック単位１１４１で記録される。主情報は記録マーク２８として記録され得る。ブロック単位とは情報処理上の単位であり、例えばＥＣＣブロックなどを意味する。ブロック単位１１４１はＮ＝３２として３２分割（或いはＮ＝１６として１６分割）されたそれぞれ２ＫＢのサブブロックであるセクタ１１２５を含む。セクタ１１２５はＭ＝２６として２６分割されたフレーム＃０〜＃２５を含み、フレーム＃０〜＃２５の先頭部にはＳＹＮＣマークを記録してデータ再生時の同期信号とする。ここでフレームとは、トラックグルーブ１１０２上に記録される各情報の小単位である。これら各情報が記録されるフレーム＃０〜＃２５に対応するフレーム１１２２および１１２３に示されるとおり、同一のフレームにはそれぞれ同一形状のウォブルのみが予め周期的に形成されている。これによりフレーム１１２２および１１２３のそれぞれに１ビットの副情報“０”、“１”若しくは“Ｓ”を記述することにより、各セクタに含まれる２６ビット（Ｍ＝２６）の副情報群で当該ブロックＩＤ（アドレス情報）を表記することになる。
【０１１６】
ブロックＩＤは、アドレスの番号を表す情報だけでなく、エラー訂正符号、エラー検査符号、パリティ符号等の誤りを訂正、或いは検出するための符号を含めても構わない。
【０１１７】
ここで、２６フレームを例えば前半１３フレームと後半１３フレームに分割し、１３フレーム毎にブロックＩＤの一部として１ビットの副情報を記録し、１セクタにブロックＩＤの一部として２ビットの副情報を記録する。
【０１１８】
図１２に、１ブロック単位１１４１内のセクタ１１２５およびフレーム＃０〜＃２５に記録される副情報のフォーマットの一例を示す。図１２において、縦方向にセクタ番号が、横方向に各セクタ内のフレーム番号及びフレーム内の副情報を示す。１セクタにつき前半１３フレーム、後半１３フレーム毎にまとまった各フレーム群に１ビットの副情報が記録される。本実施の形態では、ブロック単位１１４１はＥＣＣブロックであるとする。Ｂ０〜Ｂ３１は、３２ビットのＥＣＣブロックアドレスの何番目のビットを表す副情報であるかを示す番号である。
【０１１９】
セクタ０の内容について説明する。セクタ０のフレーム＃０〜＃２５の内、フレーム＃０〜＃１２（前半のフレーム）にはＥＣＣブロックアドレス３２ビットの最初の１ビット（ＬＳＢ１ビット）を埋め込む。続くフレーム＃１３〜＃２５（後半フレーム）には、ＥＣＣブロックアドレス３２ビットの第２の１ビットを埋め込む。図１１で示すように、セクタ０には“０”および“１”の２ビットのブロックＩＤの一部が埋め込まれている。
【０１２０】
ここでセクタ０の前半フレームにＥＣＣブロックアドレスの最初の１ビット（ＬＳＢ）の代わりに、ＥＣＣブロックアドレスの始まりを表すＳＹＮＣ符号“Ｓ”を埋め込んで、ＥＣＣブロックアドレス再生時の同期信号或いはＥＣＣブロックアドレスの先頭を検出する検出マークとして用いてもよい。
【０１２１】
セクタ１の内容について説明する。セクタ１のフレーム＃０〜＃２５の内、フレーム＃０〜＃１２（前半のフレーム）にはＥＣＣブロックアドレス３２ビットの第３の１ビットを埋め込む。続くフレーム＃１３〜＃２５（後半のフレーム）には、ＥＣＣブロックアドレス３２ビットの第４の１ビットを埋め込む。図１１で示すように、セクタ１には“０”、“０”の２ビットのブロックＩＤの一部が埋め込まれている。
【０１２２】
ブロックＩＤは上述の通り１セクタにつき２ビットずつ記録された副情報を組み合わせ、合計１６セクタの３２ビットの副情報群でブロックＩＤ全体を表す。
【０１２３】
ＥＣＣブロック長が３２ｋＢであり、１ブロック単位１１４１が１６セクタに分割される場合でも、副情報を１セクタに２ビット配置することで３２ビットのブロックＩＤを得ることが可能である。
【０１２４】
ＥＣＣブロック長が３２ｋＢの場合は以上の１６セクタのセクタ群でブロックＩＤが完結する。ＥＣＣブロック長が６４ｋＢの場合、１ブロック内のセクタ数は３２であり、セクタ１６以降のセクタ１６〜３１の副情報の内容としては、前記セクタ０〜１５の内容が繰り返し記録される。１ブロック内の３２セクタを１６セクタ毎のまとまり（すなわち副情報群）として、１通りの副情報群を２回繰り返し記録する。
【０１２５】
このように、副情報群をブロック単位１１４１内で繰り返す。これにより、１６セクタ毎にブロックＩＤが確定する。このことは、３２ｋＢ（＝２ｋＢ×１６）毎にブロックＩＤを確定することが可能であり、すばやいタイミングで後処理（データの読み出し、記録動作など）を行うことが可能であることを示す。また、ブロックＩＤをブロック単位１１４１内で２回繰り返すことで、ブロックＩＤの読み取りの信頼性を高めることが可能である。
【０１２６】
また、ブロックＩＤをブロック単位１１４１内で２回繰り返す代わりにブロックＩＤ以外の情報を含めることも可能である。例えば、ブロックＩＤの繰り返し番号を副情報群に含めることで、アドレス番号を確定する際の多数決処理に用いることも可能であるし、ブロック内のどのセクタを読み出しているか、或いは、ブロック内の何番の目の副情報群が誤っているかなどの情報が得られ、信号処理上有為な情報を得ることが可能である。
【０１２７】
また、複数の記録面をもった光ディスクにおいて、記録面の層の番号を、副情報群に含めて設けることも可能である。図１６を参照して上述したように副情報群に層番号を含めることで容易に、記録面を判別することが可能である。
【０１２８】
本実施の形態において、ブロックＩＤを３２ビットとしたが、アドレス情報を３２ビットとすることに限らず、光ディスクに記録するデータ容量、或いはエラー訂正符号の種類と方式等に応じて、必要なブロックＩＤ（アドレス情報）のビット数を割り当てても構わない。
【０１２９】
本実施の形態において、ブロック単位においてセクタをＮ＝３２として３２個（或いはＮ＝１６として１６個）に分割することとしたが、本発明はこのようなセクタの数に制約されるものではない。
【０１３０】
本実施の形態において、副情報は、１セクタをＭ＝２６として２６個に分割したフレーム単位に記録するとしたが、本発明はこのようなフレームの数に制約されるものではない。
【０１３１】
本実施の形態において、副情報を鋸波状のウォブルに変調して記録することとしたが、本発明はこのようなウォブルの形状に制約されるものではない。例えば図４および図７に示したウォブルに副情報を変調して配置することも可能である。
【０１３２】
本実施の形態において、ブロックマークをトラックグルーブを寸断して設けたが、本発明は、このようなブロックマークの形状に制約されるものではない。例えば図５および図６に示したウォブルにブロックマークを変調して配置することも可能である。
【０１３３】
（実施の形態９）
図１３に本発明の実施の形態９におけるトラックグルーブ１３０２を示す。トラックグルーブ１３０２は図２に示す光ディスク媒体２０のトラックグルーブ１０２に対応する。トラックグルーブ１３０２は図１３に示されるように１ブロック単位毎に特徴づけられた形状で構成されている。図１３においてブロックマーク（識別マーク）１３１０は、ブロックの先頭を示す指標である。
【０１３４】
本実施の形態のトラックグルーブ１３０２おいては、トラックグルーブ１３０２を寸断して設けられているブロックマーク１３１０を先頭として、所定形状のウォブル（蛇行）１３２６および１３２７が、ブロックをＮ分割（Ｎ＝３２或いはＮ＝１６）したセクタ１３２５（単位区間）内をさらにＭ分割（Ｍ＝２６）したフレーム（単位小区間）＃０〜＃２５内において周期的に設けられている。ウォブル１３２６および１３２７はその形状が互いに異なるように形成され、上記フレーム＃０〜＃２５内において一義的に記述される副情報（“０”、“１”若しくは“Ｓ”）をそれぞれ示す。具体的には図１３に示されるように、一周期あたり、副情報の“１”か“０”かに応じて、その立ち上がり変位と立ち下がり変位とが異なる鋸波状にウォブル１３２６および１３２７が形成されている。
【０１３５】
この立ち上がりの傾斜の差は差動プッシュプル検出で再生した信号から容易に検出することができる。即ち走査レーザービームをトラックグルーブ１３０２に照射し、トラック垂直方向（すなわちラジアル方向）に分割された受光素子の差動信号（すなわちプッシュプル信号）を生成すれば、副情報が“０”か“１”かによって立ち上がり、立ち下がりの傾斜の異なる検出信号が得られる。この傾斜の差は、例えば、検出信号を微分することによって容易に識別できる。
【０１３６】
従って、この微分値の大小から副情報を検出できることになる。しかし、微分を用いる場合、当然ノイズ成分は増強されるから、Ｓ／Ｎ比の悪い高密度光ディスク媒体では検出エラーが生じることが懸念される。そこで本実施の形態ではウォブル形状の同一のパターンを複数回繰り返し形成することによって検出の信頼性を高めている。
【０１３７】
主情報はブロックマーク１３１０を起点に、トラックグルーブ１３０２に沿って所定長、例えば６４ＫＢ長のブロック単位１３４１で記録される。主情報は記録マーク２８として記録され得る。ブロック単位とは情報処理上の単位であり、例えばＥＣＣブロックなどを意味する。ブロック単位１３４１はＮ＝３２として３２分割（或いはＮ＝１６として１６分割）されたそれぞれ２ＫＢのサブブロックであるセクタ１３２５を含む。セクタ１３２５はＭ＝２６として２６分割されたフレーム＃０〜＃２５を含み、フレーム＃０〜＃２５の先頭部にはＳＹＮＣマークを記録してデータ再生時の同期信号とする。ここでフレームとは、トラックグルーブ１３０２上に記録される各情報の小単位である。これら各情報が記録されるフレーム＃０〜＃２５に対応するフレーム１３２２および１３２３に示されるとおり、同一のフレームにはそれぞれ同一形状のウォブルのみが予め周期的に形成されている。これによりフレーム１３２２および１３２３のそれぞれに１ビットの副情報“０”、“１”若しくは“Ｓ”を記述することにより（副情報“Ｓ”はＳＹＮＣ情報として記述され得る）、各セクタに含まれる２６ビット（Ｍ＝２６）の副情報群で当該ブロックＩＤ（アドレス情報）を表記することになる。
【０１３８】
また、これら副情報が記録されるセクタ１３２５によってはセクタ内の前半フレーム（フレーム＃０〜＃１２）と後半フレーム（フレーム＃１３〜＃２５）内の各フレーム群にそれぞれ同一の形状のウォブルのみが予め周期的に形成され得る。これによりセクタ１３２５に２ビットの副情報“０”、“１”、或いは“Ｓ”を記述することにより、各セクタ（単位区間）に含まれる３２ビットの副情報群で当該ブロックＩＤを表記することになる。
【０１３９】
ブロックＩＤは、アドレスの番号を表す情報だけでなく、エラー訂正符号、エラー検査符号、パリティ符号等の誤りを訂正、或いは検出するための符号を含めても構わない。
【０１４０】
図１４に、本実施の形態における１ブロック単位１３４１内のセクタ１３２５およびフレーム＃０〜＃２５に記録される副情報のフォーマットの一例を示す。図１４において縦方向にセクタ番号を、横方向に各セクタ内のフレーム番号及びフレーム内の情報を示す。
【０１４１】
セクタ０の内容について説明する。セクタ０のフレーム＃０〜＃２５の全てに、３２ビットのＥＣＣブロックアドレスの内の最初の１ビット（ＬＳＢから１ビット）を埋め込む。図１４で示すように、セクタ０には１ビットの副情報Ｂ０（“０”か“１”）が埋め込まれている。
【０１４２】
セクタ１の内容について説明する。セクタ１のフレーム＃０〜＃２５の全てに、３２ビットのＥＣＣブロックアドレスの内の最初の１ビット（ＬＳＢから１ビット）を埋め込む。図１４で示すように、セクタ１には１ビットの副情報Ｂ０（“０”か“１”）が埋め込まれている。
【０１４３】
セクタ１にはセクタ０の副情報Ｂ０と同じ内容が繰り返し配置されている。
【０１４４】
セクタ２の内容について説明する。セクタ２のフレーム＃０〜＃２５の全てに、３２ビットのＥＣＣブロックアドレスの内の第２の１ビットを埋め込む。図１４で示すように、セクタ２には１ビットの副情報Ｂ１（“０”か“１”）が埋め込まれている。
【０１４５】
セクタ３の内容について説明する。セクタ３のフレーム＃０〜＃２５の全てに、３２ビットのＥＣＣブロックアドレスの内の第２の１ビットを埋め込む。図１４で示すように、セクタ２には１ビットの副情報Ｂ１（“０”か“１”）が埋め込まれている。
【０１４６】
セクタ３にはセクタ２の副情報Ｂ１と同じ内容が繰り返して配置されている。
【０１４７】
以下同様に、セクタ１３までは奇数セクタＮの副情報の内容はセクタ番号が１小さい偶数セクタ（Ｎ−１）の副情報を繰り返し配置している。
【０１４８】
次に、セクタ１４からセクタ２４までの内容について説明する。
【０１４９】
セクタ１４の内容について説明する。セクタ１４のフレーム＃０〜＃２５の全てに、３２ビットのＥＣＣブロックアドレスの内の第８の１ビットを埋め込む。図１４で示すように、セクタ１４には１ビットの副情報Ｂ７（“０”か“１”）が埋め込まれている。
【０１５０】
セクタ１５の内容について説明する。セクタ１５のフレーム＃０〜＃２５の全てに、３２ビットのＥＣＣブロックアドレスの内の第９の１ビットを埋め込む。図１４で示すように、セクタ１５には１ビットの副情報Ｂ８（“０”か“１”）が埋め込まれている。
【０１５１】
以下セクタ２４まで同様に１セクタに１ビットの副情報が配置されている。
【０１５２】
次にセクタ２５からセクタ３１までの内容について説明する。
【０１５３】
セクタ２５の内容について説明する。セクタ２５のフレーム＃０〜＃２５の内、フレーム＃０〜＃１２（前半フレーム）にはＥＣＣブロックアドレス３２ビットの内の第１９の１ビットを埋め込む。図１４で示すように、セクタ２５の前半フレームには１ビットの副情報Ｂ１８（“０”か“１”）が埋め込まれている。
【０１５４】
セクタ２５のフレーム＃０〜＃２５の内、フレーム＃１３〜＃２５（後半フレーム）にはＥＣＣブロックアドレス３２ビットの内の第２０の１ビットを埋め込む。図１４で示すように、セクタ２５の後半フレームには１ビットの副情報Ｂ１９（“０”か“１”）が埋め込まれている。
【０１５５】
セクタ２６の内容について説明する。セクタ２６のフレーム＃０〜＃２５の内、フレーム＃０〜＃１２（前半フレーム）にはＥＣＣブロックアドレス３２ビットの内の第２１の１ビットを埋め込む。図１４で示すように、セクタ２６の前半フレームには１ビットの副情報Ｂ２０（“０”か“１”）が埋め込まれている。
【０１５６】
セクタ２６のフレーム＃０〜＃２５の内、フレーム＃１３〜＃２５（後半フレーム）にはＥＣＣブロックアドレス３２ビットの内の第２２の１ビットを埋め込む。図１４で示すように、セクタ２６の後半フレームには１ビットの副情報Ｂ２１（“０”か“１”）が埋め込まれている。
【０１５７】
以下セクタ３１まで同様に１セクタの前半フレームに１ビット、後半フレームに１ビットの副情報が配置されており、１セクタには２ビットの副情報が配置されている。
【０１５８】
以上のように、本実施の形態では、ブロックＩＤの下位ビットや上位ビットなどのビット位置によって、副情報を配置するセクタ数およびフレーム数をかえている。本実施の形態では、副情報Ｂ０が最下位ビットであり、副情報Ｂ３１が最上位ビットとなる。
【０１５９】
光ディスクのような連続したデータを読み出すシステムにおいて、連続して読み出し中のデータのブロックＩＤは、下位ビットから連続的に増加していく。隣接するブロックＩＤ間では、ブロックＩＤ値は”１”しか異ならない。そのため、ブロックＩＤの決定には、読み出し中のブロックＩＤの下位ビットの数ビットを読み出すだけで、残りの上位ビットは直前或いは一定数前のブロックＩＤから読み出された値から類推することが可能である。この場合、下位の数ビットのブロックＩＤの読み出しの信頼性が重要である。図１４で示したようにブロックＩＤの下位ビットを複数のセクタに渡って他のビットより多く配置させることで、ブロックＩＤの下位ビットの読み出しの信頼性と、読み出し効率を向上させることが可能である。
【０１６０】
本実施の形態において、ブロックＩＤを３２ビットとしたが、アドレス情報を３２ビットとすることに限らず、光ディスクに記録するデータ容量或いはエラー訂正符号の種類と方式等に応じて、必要なブロックＩＤ（アドレス情報）のビット数を割り当て副情報群にすることでも構わない。
【０１６１】
本実施の形態において、ブロック単位においてセクタをＮ＝３２として３２個（或いはＮ＝１６として１６個）に分割することとしたが、本発明はこのようなセクタの数に制約されるものではない。
【０１６２】
本実施の形態において、副情報は、１セクタをＭ＝２６として２６個に分割したフレーム単位に記録するとしたが、本発明はこのようなフレームの数に制約されるものではない。
【０１６３】
本実施の形態において、副情報を鋸波状のウォブルに変調して記録することとしたが、本発明は、このようなウォブルの形状に制約されるものではない。例えば図４および図７に示したウォブルに副情報を変調して配置することも可能である。
【０１６４】
本実施の形態において、ブロックマークをトラックグルーブを寸断して設けたが、本発明は、このようなブロックマークの形状に制約されるものではない。例えば図５および図６に示したウォブルにブロックマークを変調して配置することも可能である。
【０１６５】
（実施の形態１０）
図１５に本発明の実施の形態１０におけるトラックグルーブ１５０２を示す。トラックグルーブ１５０２は図２に示す光ディスク媒体２０のトラックグルーブ１０２に対応する。トラックグルーブ１５０２は図１５に示されるように１ブロック単位毎に特徴づけられた形状で構成されている。図１５においてブロックマーク（識別マーク）１５１０は、ブロックの先頭を示す指標である。
【０１６６】
本実施の形態のトラックグルーブ１５０２おいては、トラックグルーブ１５０２を寸断して設けられているブロックマーク１５１０を先頭として、所定形状のウォブル（蛇行）１５２６および１５２７が、ブロックをＮ分割（Ｎ＝３２或いはＮ＝１６）したセクタ１５２５（単位区間）内をさらにＭ分割（Ｍ＝２６）したフレーム（単位小区間）＃０〜＃２５内において周期的に設けられている。ウォブル１５２６および１５２７はその形状が互いに異なるように形成され、上記フレーム＃０〜＃２５内において一義的に記述される副情報（“０”、“１”若しくは“Ｓ”）をそれぞれ示す。具体的には図１５に示されるように、一周期あたり、副情報の“１”か“０”かに応じて、その立ち上がり変位と立ち下がり変位とが異なる鋸波状にウォブル１５２６および１５２７が形成されている。
【０１６７】
この立ち上がりの傾斜の差は差動プッシュプル検出で再生した信号から容易に検出することができる。即ち走査レーザービームをトラックグルーブ１５０２に照射し、トラック垂直方向（すなわちラジアル方向）に分割された受光素子の差動信号（すなわちプッシュプル信号）を生成すれば、副情報が“０”か“１”かによって立ち上がり、立ち下がりの傾斜の異なる検出信号が得られる。この傾斜の差は、例えば、検出信号を微分することによって容易に識別できる。
【０１６８】
従って、この微分値の大小から副情報を検出できることになる。しかし、微分を用いる場合、当然ノイズ成分は増強されるから、Ｓ／Ｎ比の悪い高密度光ディスク媒体では検出エラーが生じることが懸念される。そこで本実施の形態ではウォブル形状の同一のパターンを複数回繰り返し形成することによって検出の信頼性を高めている。
【０１６９】
主情報はブロックマーク１５１０を起点に、トラックグルーブ１５０２に沿って所定長、例えば６４ＫＢ長のブロック単位１５４１で記録される。主情報は記録マーク２８として記録され得る。ブロック単位とは情報処理上の単位であり、例えばＥＣＣブロックなどを意味する。ブロック単位１５４１はＮ＝３２として３２分割（或いはＮ＝１６として１６分割）されたそれぞれ２ＫＢのサブブロックであるセクタ１５２５を含む。セクタ１５２５はＭ＝２６として２６分割されたフレーム＃０〜＃２５を含み、フレーム＃０〜＃２５の先頭部にはＳＹＮＣマークを記録してデータ再生時の同期信号とする。ここでフレームとは、トラックグルーブ１５０２上に記録される各情報の小単位である。これら各情報が記録されるフレーム＃０〜＃２５に対応するフレーム１５２２および１５２３に示されるとおり、同一のフレームにはそれぞれ同一形状のウォブルのみが予め周期的に形成されている。これによりフレーム１５２２および１５２３のそれぞれに１ビットの副情報“０”、“１”若しくは“Ｓ”を記述することにより（副情報“Ｓ”はＳＹＮＣ情報として記述され得る）、各セクタに含まれる２６ビット（Ｍ＝２６）の副情報群で当該ブロックＩＤ（アドレス情報）を表記することになる。
【０１７０】
ここで、１フレームにつき１ビットの副情報を割り当てることとし、連続した３２フレーム（副情報群）に３２ビットのブロックＩＤを埋め込む。
【０１７１】
ブロックＩＤは、アドレスの番号を表す情報だけでなく、エラー訂正符号、エラー検査符号、パリティ符号等の誤りを訂正、或いは検出するための符号を含めても構わない。
【０１７２】
ブロックＩＤは上述の通り１フレームにつき１ビットずつ割り当てられた副情報を組み合わせた合計３２フレームで３２ビットの副情報群として１通りのブロックＩＤ全体を表す。
【０１７３】
ＥＣＣブロック長が６４ｋＢの場合、１ブロック長が３２セクタである。１ブロック内のフレーム数は８３２（＝３２×２６）フレームである。３２フレームを１フレーム群としてブロックＩＤを割り当てた場合、２６個のフレーム群を繰り返すことによってブロックＩＤを構成することが可能である。
【０１７４】
また、ＥＣＣブロック長が３２ｋＢの場合、１ブロック長が１６セクタである。１ブロック内のフレーム数は４１６（＝１６×２６）フレームである。３２フレームを１フレーム群としてブロックＩＤを割り当てた場合、１３個のフレーム群を繰り返すことによってブロックＩＤを構成することが可能である。
【０１７５】
以上のように３２フレームをひとまとまりのフレーム群（すなわち副情報群）としてブロックＩＤを表し、１通りの副情報群を複数回繰り返し記述する。
【０１７６】
副情報群を１ブロック単位１５４１内で繰り返す。これにより、３２フレーム毎にブロックＩＤが確定することになり、すばやいタイミングで後処理（データの読み出し、記録動作など）を行うことが可能である。
【０１７７】
また、ブロックＩＤを１ブロック単位１５４１内で複数回繰り返すことで、ブロックＩＤの読み取りの信頼性を高めることが可能である。
【０１７８】
また、ブロックＩＤを１ブロック内で複数回繰り返す回数を減らす代わりにブロックＩＤ以外の情報を副情報群に含めることも可能である。
【０１７９】
例えば、図１６を参照して上述したように、ブロックＩＤの繰り返し番号を副情報群に含めることで、アドレス番号を確定する際の多数決処理にブロックＩＤを用いることも可能である。また、ブロック内のどのセクタを読み出しているか、或いは、ブロック内の何番の目の副情報群が誤っているかなどの情報が得られ、信号処理上有為な情報を得ることが可能である。
【０１８０】
また、複数の記録面をもった光ディスクにおいて、記録面の層の番号を、前記副情報群に含めて設けることも可能である。層番号を含めることで容易に、記録面を判別することが可能である。例えば図１６の同一繰り返し番号４つのうち１つを記録面の層番号にすることも可能である。層番号を含めることで容易に、記録面を判別することが可能である。
【０１８１】
本実施の形態において、ブロックＩＤを３２ビットとしたが、３２フレームを３２ビットの１フレーム群にすることに限らず、光ディスクに記録するデータ容量或いはエラー訂正符号の種類と方式等に応じて、必要なブロックＩＤ（アドレス情報）のビット数を割り当て副情報群にすることでも構わない。
【０１８２】
本実施の形態において、ブロック単位においてセクタをＮ＝３２として３２個（或いはＮ＝１６として１６個）に分割することとしたが、本発明はこのようなセクタの数に制約されるものではない。
【０１８３】
本実施の形態において、副情報は、１セクタをＭ＝２６として２６個に分割したフレーム単位に記録するとしたが、本発明はこのようなフレームの数に制約されるものではない。
【０１８４】
本実施の形態において、副情報を鋸波状のウォブルに変調して記録することとしたが、本発明は、このようなウォブルの形状に制約されるものではない。例えば図４および図７に示したウォブルに副情報を変調して配置することも可能である。
【０１８５】
本実施の形態において、ブロックマークをトラックグルーブを寸断して設けたが、本発明は、このようなブロックマークの形状に制約されるものではない。例えば図５および図６に示したウォブルにブロックマークを変調して配置することも可能である。
【０１８６】
（実施の形態１１）
図２２に本発明の実施の形態１１におけるトラックグルーブ１６０２を示す。トラックグルーブ１６０２は図２に示す光ディスク媒体２０のトラックグルーブ１０２に対応する。トラックグルーブ１６０２は図２２に示されるように１ブロック単位毎に特徴づけられた形状で構成されている。
【０１８７】
まず、図２２を参照して、ブロックアドレスの構成単位であるＥＣＣブロックを４つのＰＩＤブロック、ＰＩＤ０〜ＰＩＤ３に分割している。ＰＩＤ部２２０２がＰＩＤ０、ＰＩＤ部２２０４がＰＩＤ１、ＰＩＤ部２２０６がＰＩＤ２、ＰＩＤ部２２０８がＰＩＤ３である。各ＰＩＤ部の先頭にはそれぞれ付属部０〜３が配置されており、付属部２２０１は付属部０、付属部２２０３は付属部１、付属部２２０５は付属部２、付属部２２０７は付属部３である。各付属部０〜３は物理的にはブロックマーク（識別マーク）２２２０を含み、ＰＩＤ部の先頭を表すための指標である。
【０１８８】
本実施の形態のトラックグルーブ１６０２おいては、トラックグルーブ１６０２を寸断して設けられているブロックマーク２２２０を先頭として、所定形状のウォブル（蛇行）２２２６、２２２７、２２２９および２２３０が、ブロックをＮ分割（Ｎ＝４）したＰＩＤブロック（単位区間）内をさらにＭ分割（Ｍ＝５２）したフレーム（単位小区間）２２２２および２２２３において周期的に設けられている。ウォブル２２２６、２２２７、２２２９および２２３０はその形状が互いに異なるように形成され、上記フレーム内において一義的に記述される副情報（“０”、“１”、“Ｓ”若しくは“Ｂ”）をそれぞれ示す。具体的には図２２に示されるように、一周期あたり、副情報“０”、“１”、“Ｓ”若しくは“Ｂ”に応じて、その立ち上がり変位と立ち下がり変位とが異なる鋸波状および正弦波状にウォブル２２２６、２２２７、２２２９および２２３０が形成されている。
【０１８９】
この立ち上がりの傾斜の差は差動プッシュプル検出で再生した信号から容易に検出することができる。即ち走査レーザービームをトラックグルーブ１６０２に照射し、トラック垂直方向（すなわちラジアル方向）に分割された受光素子の差動信号（すなわちプッシュプル信号）を生成すれば、副情報“０”、“１”、“Ｓ”および“Ｂ”によって立ち上がり、立ち下がりの傾斜の異なる検出信号が得られる。この傾斜の差は、例えば、検出信号を微分することによって容易に識別できる。
【０１９０】
従って、この微分値の大小から副情報を検出できることになる。しかし、微分を用いる場合、当然ノイズ成分は増強されるから、Ｓ／Ｎ比の悪い高密度光ディスク媒体では検出エラーが生じることが懸念される。そこで本実施の形態ではウォブル形状の同一のパターンを複数回繰り返し形成することによって検出の信頼性を高めている。
【０１９１】
次にＰＩＤ部の内容について説明する。ＰＩＤ部は、３７２バイトのフレーム５２個を含み、１９３４４バイト（＝３７２バイト×５２）の長さで形成されている。ＰＩＤ部２２０２（ＰＩＤ０）は、ＰＩＤの情報内容として８ビットのＰＩＤ情報２２０９、２４ビットのブロックアドレス情報２２１０、１６ビットのＩＥＤ情報２２１１、４ビットのアドレスマーク（ＡＭ）２２１２を含む。
【０１９２】
ＰＩＤ情報２２０９はＰＩＤ０〜ＰＩＤ３のいずれのＰＩＤ番号かを表す情報である。ブロックアドレス情報２２１０は、ブロックアドレス単位で割り当てられているアドレス情報で、同一ブロックアドレス内のＰＩＤ０〜ＰＩＤ３で共通である。ＩＥＤ２２１１は前記ＰＩＤ情報２２０９とブロックアドレス情報２２１０から生成されるエラー検査符号（ＩＥＤ）である。
【０１９３】
また、アドレスマーク２２１２はＰＩＤ部２２０２の最後に配置されており、これにより、続くＰＩＤ部２２０４の先頭を検出する役割がある。また、アドレスマーク２２１２には、上述した副情報“１”、“０”、“Ｓ”以外に、フレーム２２２５のウォブル２２３０のような正弦波状のウォブルを用いて副情報“Ｂ”を記録する。フレーム２２２４のウォブル２２２９で記録される副情報“Ｓ”と副情報“Ｂ”とを組み合わせることで、アドレスマーク２２１２を表す。例えばアドレスマーク２２１２は４ビット情報が“ＳＢＢＳ”となっており、これらのパターンが検出された場合に、続く付属部、或いはＰＩＤ部の検出する準備を行うことができる。
【０１９４】
副情報“Ｂ”をアドレスマークにのみ用いることで、他の情報部との区別が容易になり、アドレスマークの検出精度を向上させることが可能となる。
【０１９５】
次に、付属部の内容について説明する。付属部は、ＰＩＤ部とは異なり、ブロックマーク２２２０が予めディスク媒体上に記録されている。ブロックマーク２２２０の形状は例えば図１７に示すようにトラックを寸断する形で形成されたミラーマークである。付属部２２０１はＰＩＤ部２２０２（ＰＩＤ０）の先頭部であり且つＥＣＣブロックアドレスの先頭部でもある。
【０１９６】
付属部０〜３はそれぞれＰＩＤ０〜ＰＩＤ３の先頭部に予め設けられており、９３バイトの長さで形成されている。また、断続しているブロックマーク（ミラーマーク）２２２０の長さは約２バイトである。付属部上にはブロックマークの検出精度を上げるためにダミーデータを記録することができる。
【０１９７】
ダミーデータとしては、例えば、４Ｔマークと４Ｔスペースとを単純に繰り返した情報を記録する。こうすることで、単一周波数成分の記録マークとブロックマークとの検出時の周波数分離をすることが容易に可能となり、ブロックマークを容易に検出することが可能である。
【０１９８】
以上のように１ＥＣＣブロックを４つのＰＩＤ部に分割し、４つのＰＩＤ部のそれぞれの先頭に付属部を設け、付属部内にはＰＩＤ部の先頭を表すブロックマークを形成する。これらＰＩＤ部をＥＣＣブロック内で繰り返す。これにより、１／４ＥＣＣブロック毎にブロックＩＤが確定することになり、すばやいタイミングで後処理（データの読み出し、記録動作など）を行うことが可能である。
【０１９９】
また、ブロックＩＤを１ブロック内で複数回繰り返すことで、ブロックＩＤの読み取りの信頼性を高めることが可能である。
【０２００】
本実施の形態において、１ＥＣＣブロックを４つのＰＩＤ部に分割したが、これに限らず、１ＥＣＣブロックを任意の整数個のＰＩＤに分割してもよい。
【０２０１】
本実施の形態において、副情報を鋸波状のウォブルに変調して記録することとしたが、本発明は、このようなウォブルの形状に制約されるものではない。例えば図４および図７に示したウォブルに副情報を変調して配置することも可能である。
【０２０２】
本実施の形態において、ブロックマークをトラックグルーブを寸断して設けたが、本発明は、このようなブロックマークの形状に制約されるものではない。例えば図５および図６に示したウォブルにブロックマークを変調して配置することも可能である。また、後述する図１７、図１８および図１９に示したブロックマークを変調して配置することも可能である。
【０２０３】
（実施の形態１２）
図１７に本発明の実施の形態１２におけるトラックグルーブ１７０２を示す。トラックグルーブ１７０２は図２２に示すトラックグルーブ１６０２の付属部の改変例である。
【０２０４】
付属部１７０１が付属部０を示し、付属部１７０５が付属部１から３を示す。正弦波状のウォブル形状のトラックグルーブ１７０２は予め光ディスク媒体上に形成されており、各付属部は全長９３バイトであり、ウォブルは付属部中で９回繰り返し設けられる。付属部０〜３内にはブロックマーク１７０３、１７０４および１７０６がトラックグルーブを寸断して設けられている。
【０２０５】
付属部０〜３は上述の実施の形態１１で示した通り、ＰＩＤ部の先頭であり、アドレス情報の先頭位置となる。そのため読み取り時の信頼性が高いことが望まれる。そこで、付属部０〜３中には前記ブロックマークを複数回（例えば２回）繰り返し配置することで、１つのブロックマークがノイズ、ディフェクト等の外乱によって検出できない場合においても、信頼性よくブロックマークの検出を行うことが可能である。また、ノイズやディフェクト等で擬似的に発生する偽物のブロックマーク（擬似ブロックマーク）と区別するために、複数回のブロックマークをある一定の間隔をおいて配置することで、擬似ブロックマークと正規のブロックマークとの区別を容易に行うことが可能である。
【０２０６】
付属部０〜３の間でブロックマークの数や形状が同一であってもよい。例えば１個のブロックマーク１７０３が付属部０〜３それぞれに設けられ得る。また、図１７のように付属部０と付属部１〜３との間でブロックマークの数や形状を異ならして配置してもよい。例えば、付属部０のブロックマークの数と他の付属部１〜３のブロックマークの数とを異ならせる。その場合、ＥＣＣブロックの先頭となる付属部０の信頼性を高めるために、付属部０内のブロックマークの数を他の付属部内のブロックマークの数に比べて多くする（ブロックマーク１７０３および１７０４の２個）。これにより、付属部０のブロックマークの読み取り時の信頼性を向上することができる。また、付属部０とそれ以外の付属部１〜３でブロックマークの数や形状が異なることを利用して、付属部０のブロックマークを他の付属部のブロックマークと区別することが可能となる。これにより、ＰＩＤ部全体を読み出してアドレスを確定する以外にもＥＣＣブロックの先頭アドレスを検出することが可能となる。
【０２０７】
ここで、ブロックマークを複数回配置する場合、図１７のブロックマーク１７０３および１７０４のようにトラックグルーブの蛇行の同一位相位置に配置する場合と異なる例として、図１８のブロックマーク１７０３と１８０４のようにトラックグルーブのウォブルの１８０°位相差のある位置にブロックマークを配置してもよい。
【０２０８】
また、ブロックマークの物理長をここでは２バイトとしたが、２バイトに限る必要はなく、光スポット径から決まるブロックマークの最適な設計値を選択することが可能である。例えば、図１９のように、ブロックマークの長さを４バイトにすることも可能である。
【０２０９】
ここで、図１９のようにブロックマークを４バイトとする場合、付属部０と付属部１〜３とのブロックマークの物理長を異ならせることでも構わない。これにより、付属部０のブロックマークの読み取り時の信頼性を向上することができる。また、付属部０とそれ以外の付属部１〜３とでブロックマーク長が異なることを利用して、付属部０のブロックマークを他の付属部のブロックマークと区別することが可能となる。
【０２１０】
次に、ブロックマークがランド上に形成したプリピットである光ディスク媒体を図２０を参照して説明する。図２０に本実施の形態におけるトラックグルーブ２００２を示す。トラックグルーブ２００２は図２２に示すトラックグルーブ１６０２の付属部の改変例である。付属部２００１が付属部０を示し、付属部２００５が付属部１〜３を示す。付属部２００１のトラックグルーブ２００２間のランドトラック２００３上に、ランドトラック２００３を寸断する形でブロックマーク２００４が形成されている。ブロックマーク２００４はトラックグルーブ２００２上を光スポットが走査する場合、光スポットの中心から半トラック分ずれた状態で走査される。
【０２１１】
図２０に示すようなランドトラック上に形成されたブロックマーク２００４の場合、プッシュプル信号等の２分割光検出器の差動をとった信号を用いて、ブロックマークを検出することができる。上述のＰＩＤ部の検出は、差動信号を用いて行っている。このことから、ブロックアドレスの検出もＰＩＤ部の検出と同様に差動系の信号を用いて検出することができ、アドレス信号再生時の和信号と差信号との切り替えなく、ブロックアドレスおよびＰＩＤ部の検出を行うことができる。これにより、信号検出部の回路構成を簡単にすることが可能となる。
【０２１２】
ここで、図２０のブロックマーク２００４のようにブロックマークを１つの付属部０中に複数回配置する場合、付属部０と付属部１〜３とでブロックマークの個数を異ならせてもよい。
【０２１３】
例えば付属部０のブロックマークを２個、付属部１〜３のブロックマークを１個とすることにより、付属部０のブロックマークの読み取り時の信頼性を向上させることができる。また、付属部０とそれ以外の付属部でブロックマークの数が異なることを利用して、付属部０のブロックマークを他の付属部のブロックマークと区別することが可能となる。
【０２１４】
また付属部上にはブロックマークの検出精度を上げるためにダミーデータを記録することができる。
【０２１５】
ダミーデータとしては、例えば、４Ｔマークと４Ｔスペースとを単純に繰り返した情報を記録する。こうすることで、単一周波数成分の記録マークとブロックマークとの検出時の周波数分離をすることが容易に可能となり、ブロックマークを容易に検出することが可能である。
【０２１６】
（実施の形態１３）
図２１は本発明の実施の形態１３における光ディスク媒体のＰＩＤ部２１００を示す図である。ＰＩＤ部２１００は、図２２に示すＰＩＤ０〜３の改変例である。ＰＩＤ部２１００は３７２バイトのフレームを５２個含み、１９３４４バイト（３７２バイト×５２フレーム）の長さで形成されている。ＰＩＤ部２１００は、８ビットのＰＩＤ情報２２０９、２４ビットのブロックアドレス情報２２１０、１６ビットのＩＥＤ情報２２１１および４ビットのアドレスマーク（識別マーク）２１１２を含む。ＰＩＤ情報２２０９、ブロックアドレス情報２２１０およびＩＥＤ情報２２１１は、実施の形態１１と同様である。
【０２１７】
またアドレスマーク２１１２はＰＩＤ部２１００の最後（後尾）に配置されており、これより後に続くＰＩＤ部の先頭を検出する役割がある。ここで、副情報は“１”、“０”および“Ｓ”以外に“Ｂ”を加えた４情報単位であり、アドレスマークは、副情報“Ｓ”と “Ｂ”とを組み合わせて表される。さらに、アドレスマークは、ＰＩＤ部２１００毎に異なる副情報の組み合わせとすることも可能であり、例えば図２１に示すように、ＰＩＤ３のアドレスマーク２１０７の副情報４ビットの組み合わせを“ＳＳＳＳ”とする。この副情報の組み合わせのアドレスマークが検出された場合は、ＰＩＤ３のアドレスマーク２１０７であると識別し、続くＰＩＤ０の先頭の付属部中の識別マーク或いはＰＩＤ部のアドレスを検出する準備を行うことができる。
【０２１８】
また、ＰＩＤ０〜２のアドレスマーク２１０１、２１０３および２１０５の４ビットの副情報の組み合わせが“ＳＢＢＳ”となっており、ＰＩＤ３のアドレスマーク２１０７とは異なる副情報の組み合わせとなっている。ＰＩＤ３とＰＩＤ０〜２とでアドレスマークを異ならせることで、ＰＩＤ３のアドレスマークと他のＰＩＤ部のアドレスマークとの区別が容易になり、ＰＩＤ３のアドレスマークの検出精度を向上させることが可能となる。つまり他のアドレスマークと異なる副情報の組み合わせとすることで、ブロックの先頭を検出するのが容易となる。
【０２１９】
なお、ＰＩＤ０〜２のアドレスマークが同じウォブル形状のパターン（すなわち全て同じ副情報の組み合わせを表す）で形成されてもよい。例えは、ＰＩＤ０〜２のアドレスマークが全て同じ副情報の組み合わせ“ＳＢＢＳ”を示してもよい。
【０２２０】
また、図２１に示すようなアドレスマーク２１０１、２１０３、２１０５および２１０７の場合、グルーブトラックのウォブルにアドレスマークの情報を予め記録しているため、プッシュプル信号等の２分割光検出器の差動信号を用いて、アドレスマークを検出することができる。上述のＰＩＤ部２１００のＰＩＤ情報２２０９、ブロックアドレス情報２２１０、ＩＥＤ情報２２１１の検出は、このような差動信号を用いていることから、ブロックアドレス或いはＰＩＤ部の先頭の検出（識別マークの検出）も、差動信号を用いることができる。従って、アドレス信号再生時の和信号と差信号との切り替えなく、ブロック或いはＰＩＤ部の先頭およびＰＩＤ部のアドレス情報の検出を行うことができる。これにより、信号検出部の回路構成を簡単にすることが可能となる。
【０２２１】
また、図２１に示すようなアドレスマーク２１０１、２１０３、２１０５および２１０７の場合、アドレスマークの検出精度を上げるために、アドレスマーク上のトラックグルーブにはダミーデータを記録してもよい。
【０２２２】
ダミーデータとしては、例えば、４Ｔマークと４Ｔスペースとを単純に繰り返した情報をトラックグルーブに記録する。これにより、単一周波数成分の記録マークとアドレスマークとの検出時の周波数分離をすることが可能であり、アドレスマークの検出精度を高めることが可能である。但し、図２１に示すのようなアドレスマークの場合、アドレスマークは２分割光検出器の差動出力を用いて検出が可能なため、アドレスマーク上のトラックにダミーデータでなく正規のユーザーデータを記録してもアドレスマークの検出が可能であるのはいうまでもない。
【０２２３】
また、付属部中の識別マークと前記アドレスマークとを併用することが可能である。付属部中の識別マークは、例えば２バイトのミラーマークであることから位置決め精度が非常に高く、追記や書き換え記録時のリンキング時の記録開始位置の精度を上げることが可能である。
【０２２４】
（実施の形態１４）
図２３Ａに本発明の実施の形態１４における光ディスク装置２３００を示す。光ディスク装置２３００は、本発明の実施の形態で説明した複数のウォブル形状の組み合わせにより光ディスク媒体に記録された副情報を再生し、主情報の記録再生を行う。図２３Ａに示す光ディスク装置２３００の動作を図２３Ｂに示すフローチャートを参照して説明する。
【０２２５】
光ディスク装置２３００は、変換手段２３３０と、再生信号演算手段２３０８と、フォーカス位置制御手段２３０９と、トラッキング位置制御手段２３１０と、副情報検出手段２３１２と、レーザ駆動手段２３１３と、再生信号処理手段２３１４と、アドレス情報／ディスク管理情報処理手段２３１５とを備える。変換手段２３３０は、半導体レーザー２３０２と、コリメートレンズ２３０３と、ビームスプリッタ２３０４と、収束手段２３０５と、集光レンズ２３０６と、光検出手段２３０７と、アクチュエータ２３１１とを備え、光ビームを光ディスク媒体２３０１に照射することにより光ディスク媒体２３０１に記録された主情報および副情報を読み出して再生信号に変換する。
【０２２６】
図２３Ａおよび図２３Ｂを参照して、半導体レーザー２３０２から出射された光ビームは、コリメートレンズ２３０３、ビームスプリッタ２３０４および収束手段２３０５を通って、光ディスク媒体２３０１上の情報面に集光される。集光された光スポットは光ディスク媒体２３０１上で反射回折され、収束手段２３０５、ビームスプリッタ２３０４および集光レンズ２３０６を通って、光検出手段２３０７に集光される。光検出手段２３０７が備える各受光素子Ａ、Ｂ、ＣおよびＤは光量に応じた電圧信号を再生信号２３２０として出力する（Ｓ１００）。
【０２２７】
再生信号演算手段２３０８は再生信号２３２０を四則演算する。再生信号演算手段２３０８から出力されるＦＥ（フォーカスエラー）信号２３２１は、フォーカス制御手段２３０９に送信される。再生信号演算手段２３０８から出力されるＴＥ（トラッキングエラー）信号２３２２はトラッキング制御手段２３１０に送信される。再生信号演算手段２３０８から出力されるＲＦ（無線周波数）信号２３２３は副情報検出手段２３１２および再生信号処理手段２３１４に送られる（Ｓ２００）。フォーカス位置制御手段２３０９はＦＥ信号２３２１に応じた電圧出力によってアクチュエータ２３１１を駆動し、光ディスク媒体２３０１の情報面上の光スポットを焦点位置制御する。トラッキング位置制御手段２３１０はＴＥ信号２３２２に応じた電圧出力によって、アクチュエータ２３１１を駆動し、光ディスク媒体２３０１の２つの情報面上の所望のトラック位置に光スポットをトラッキング位置制御する。フォーカス位置制御およびトラッキング位置制御された光スポットによって、光ディスク媒体２３０１上の凹凸のプリピットあるいは、相変化光ディスク媒体の反射率の異なる濃淡のマークとスペースとを読み出すことによって、光ディスク媒体２３０１上に記録された情報を読み出す。ＴＥ信号２３２２は、プシュプル方式の場合、４分割された光検出手段２３０７のトラック方向の１組の受光素子Ａ、Ｂ、ＣおよびＤの受光量の差の出力である。ここでは（Ａ＋Ｄ）−（Ｂ＋Ｃ）である。ＲＦ信号２３２３は４分割された光検出手段２３０７上の受光素子Ａ、Ｂ、ＣおよびＤの受光量の和の出力であり、ここでは（Ａ＋Ｂ＋Ｃ＋Ｄ）である。ＦＥ信号２３２１は、非点収差方式の場合、（Ａ＋Ｃ）−（Ｂ＋Ｄ）である。
【０２２８】
次に、副情報再生の手順について説明する。再生信号演算手段２３０８によって生成されたＴＥ信号２３２２およびＲＦ信号２３２３は副情報検出手段２３１２に出力され、副情報の解読に用いられる。副情報検出手段２３１２で検出された副情報は、副情報信号３４２０としてアドレス情報／ディスク管理情報処理手段２３１５およびレーザ駆動手段２３１３に出力される。
【０２２９】
図３４に示すように副情報検出手段２３１２は、基準クロック信号生成部３４１０と、２値化パルス信号生成部３４１１と、ブロックマーク信号検出部である第３ＢＰＦ（バンドパスフィルター）３４０３と、副情報生成部３４１２と、を備える。
【０２３０】
基準クロック信号生成部３４１０は、第１ＢＰＦ３４０１と、同期検波部３４０４とを備える。２値化パルス信号生成部３４１１は、第２ＢＰＦ３４０２と、比較部３４０５と、積分器３４０８とを備える。副情報生成部３４１２は、多数決判定部３４０６と、副情報デコーダー３４０７とを備える。
【０２３１】
第１ＢＰＦ３４０１はＴＥ信号２３２２に変調されているウォブル信号を抽出するようなフィルター定数に設計されており、第１ＢＰＦ３４０１はＴＥ信号２３２２からトラックグルーブのウォブルと同期した正弦波状の波形の基本波成分を含む出力信号３４０１’を生成する。同期検波部３４０４は、出力信号３４０１’を入力し、ディスクから読みだされた信号に同期した基準クロック信号３４０４’を生成する（Ｓ３００）。基準クロック信号３４０４’は副情報信号の同期をとるのに用いられる。
【０２３２】
第２ＢＰＦ３４０２は、ＴＥ信号２３２２に変調された鋸波状の急峻なエッジ部を検出する微分フィルターである。第２ＢＰＦ３４０２は鋸波状の急峻なエッジの位相（あるいは向き）により、上向きあるいは下向きの微分パルス信号３４０２’を生成する。微分パルス信号３４０２’は比較部３４０５に入力される。比較部３４０５は、積分器３４０８を介してフィードバックされた規定のスライス電圧と微分パルス信号３４０２’とを比較し、微分パルス信号３４０２’の上向きおよび下向きの２状態を“０”および“１”とした２値化パルス信号３４０５’を生成する（Ｓ４００）。２値化パルス信号３４０５’は多数決判定部３４０６に出力される。
【０２３３】
第３ＢＰＦ３４０３はＲＦ信号２３２３をフィルター処理し、ブロックマーク信号３４０３’を検出して副情報群の先頭部を確定する（Ｓ５００）。検出されたブロックマーク信号３４０３’は多数決判定部３４０６へ出力され、多数決判定部３４０６でタイミング同期に用いられる。
【０２３４】
多数決判定部３４０６は、基準クロック信号３４０４’とブロックマーク信号３４０３’とから生成した同期信号を基準にして、特定の時間間隔内の２値化パルス信号３４０５’の“０”と“１”との数を比較し、特定の時間間隔内で多数となるパルスを２値化データ信号３４０６’として副情報デコーダー３４０７へ出力する。副情報デコーダー３４０７はエラー検査符号により、２値化データ信号３４０６’に誤りがないかをチェックし、エラーのない場合は副情報信号３４２０（例えばアドレス情報）として出力する（Ｓ６００）。
【０２３５】
以上のような手順により光ディスク媒体上に記録された副情報信号３４２０が再生される。光ディスク装置２３００は、再生された副情報信号３４２０が含むアドレス情報から、現在トラックグルーブ中のどのブロックの情報を再生しているのかを判別することができる。また、光ディスク媒体２３０１に主情報を記録する場合、記録したいブロックの１つ手前のブロックのアドレスを判別し、記録したいブロックが次のブロックであることを予測することにより、記録したいブロックの先頭から主情報を記録することが出来る。
【０２３６】
（実施の形態１５）
本発明の実施の形態１５における光ディスク媒体のリードイン領域およびリードアウト領域について説明する。
【０２３７】
まず、図３０に示す従来の光ディスク媒体のリードイン領域およびリードアウト領域について説明する。光ディスク媒体３００１は、内周部に設けられたリードイン領域３００３と、外周部に設けられたリードアウト領域３００５と、リードイン領域３００３とリードアウト領域３００５との間に設けられた記録再生領域３００４とを含む。リードイン領域３００３の一部分３００７を拡大して示すようにリードイン領域３００３には予め凹凸のピット３００６が形成されており、凹凸のプリピットの反射率差を読み取ることで“０”または“１”の情報が読み出される。リードイン領域３００３にはディスク管理情報が予め記録されており、例えば、ディスクの再生パワー、サーボ情報、最適な記録パワー等の情報などが記録されている。また記録再生領域３００４は予めトラックグルーブ３００２が形成されており、トラックグルーブ３００２に沿ったトラッキング制御により、トラックグルーブ３００２上に書き換え可能なデータを記録あるいは記録されたデータを消去する。
【０２３８】
従来の光ディスク媒体３００１において、内周部のリードイン領域３００３および外周部のリードアウト領域３００５と記録再生領域３００４とでは、ディスク上に予め形成されたピット３００６の形状とトラックグルーブ３００２の形状とが異なる。このため、トラッキング方式としては、リードイン領域３００３およびリードアウト領域３００５では位相差方式のトラッキング（ＤＰＤ方式）、記録再生領域３００４ではトラックグルーブ３００２からの回折を利用したプシュプル方式のトラッキングと２種類のトラッキング方式を切り替える必要があった。
【０２３９】
本発明の実施の形態１５では、外周部のリードイン領域およびリードアウト領域と記録再生領域との間のトラッキング方式が統一された光ディスク媒体が提供され、トラッキング動作を簡略化することが可能である。
【０２４０】
以下本発明の実施の形態１５の光ディスク媒体について説明する。
【０２４１】
図２４に本実施の形態の光ディスク媒体２４００を示す。光ディスク媒体２４００は、リードイン領域２４０１と、記録再生領域２４０２と、リードアウト領域２４０３とを含む。リードイン領域２４０１およびリードアウト領域２４０３には、ディスク管理情報が予め記録される。リードイン領域２４０１およびリードアウト領域２４０３はさらに試し記録のための領域等のユーザーデータを記録する以外の領域を含み得る。図２４において、リードイン領域２４０１はディスクの中心から半径２２．５９ｍｍ〜２４．０２ｍｍの範囲に設けられ得る。リードイン領域２４０１内は、ディスク管理情報を予め記録したディスク管理領域（半径２２．５９ｍｍ〜２４．０００ｍｍの範囲）を含み、光ディスク媒体あるいはドライブの試し記録のための書き換え可能領域とを含み得る。ここでディスク管理領域は、原則書き換え禁止領域である。本発明の実施の形態では、リードイン領域２４０１およびリードアウト領域２４０３はディスク管理領域を意味するとして説明する。
【０２４２】
図３６を参照して、図２４に示した光ディスク媒体２４００の記録面にスパイラル状に形成されたトラックグルーブ３６３１について説明する。ここで、トラックグルーブ３６３１は、リードイン領域２４０１およびリードアウト領域２４０３に形成されるトラックグルーブを示している。トラックグルーブ３６３１は図３６に示されるように所定形状のウォブル（蛇行）３６２６、３６２７および３６２８が周期的に設けられ、ウォブル３６２６、３６２７および３６２８はその形状が互いに異なるように形成されており、一義的に記述される副情報、（“０”、“１”、“Ｓ”若しくは“Ｂ”）を示す。具体的には図３６に示されるように、ウォブル３６２６、３６２７および３６２８は一周期あたり、その立ち上がり変位と立ち下がり変位とが異なるように鋸波状および正弦波状に形成されている。ウォブル３６２６、３６２７および３６２８を組み合わせて示される副情報の並びによりディスク管理情報が示される。
【０２４３】
この立ち上がり変位と立ち下がり変位の傾斜の差は差動プッシュプル検出で再生した信号から容易に検出することができる。即ち走査レーザービームをトラックグルーブ３６３１に照射し、トラック垂直方向（ラジアル方向）に分割された受光素子の差動信号（プッシュプル信号）を生成すれば、副情報の“０”か“１”によって立ち上がり、立ち下がりの傾斜の異なる信号が得られる。この傾斜の差は、例えば、上記信号を微分することによって容易に識別できる。従って、この微分値の大小から副情報を検出できることになる。上記副情報は、リードイン領域２４０１およびリードアウト領域２４０３領域では、記録再生領域２４０２のディスク管理情報として用いられる。
【０２４４】
図３６において、ブロックマーク３６３０を含むフレーム３６２０は９個のウォブル３６２８があらかじめ形成され、副情報“Ｂ”を示す。またブロックマーク３６３０に続く５２個のフレーム３６２１には１フレームあたり３６個のウォブルあらかじめ形成され、副情報“０”および”１”を示す。ウォブル３６２６、３６２７および３６２８の形成されている物理的な周波数は、ＣＬＶ方式の本実施の形態の光ディスク媒体２４００の場合、内周トラックから外周トラックまでｆｂと一定である。
【０２４５】
次にリードイン領域２４０１およびリードアウト領域２４０３と記録再生領域２４０２との比較を図２５Ａおよび図２５Ｂを参照して説明する。
【０２４６】
図２５Ａは、記録再生領域２４０２のトラックグルーブ２５０２を示す。ブロックマーク２５２０を含むフレーム２５１０は９個の正弦波状のウォブルがあらかじめ形成され、副情報“Ｂ”を示す。またブロックマーク２５２０に続く５２個のフレーム２５１１には１フレームあたり３６個の鋸波状のウォブルが予め形成され、副情報“０” および“１”を示す。ウォブル２５２６、２５２７および２５２８の物理的な周波数は、ＣＬＶ方式のディスクである本実施の形態の光ディスク媒体２４００の場合、内周トラックから外周トラックまでｆａ（１ウォブル１２４チャネルビット）と一定である。また、ウォブルの振量は２２．５ｎｍｐｐで一定である。
【０２４７】
記録再生領域２４０２には、記録マークを変調させる形で記録する。ここでは、最短マーク２Ｔのラン長制限されたＤ４６変調の信号をトラックグルーブ上に記録する。このときのチャネルビット長は０．０７７１μｍである。記録再生時に使用するレーザー波長は中心値４０５ｎｍ（＋１０ｎｍ、−５ｎｍ）、ＮＡ＝０．８５±０．０１である。
【０２４８】
図２５Ｂにリードイン領域２４０１およびリードアウト領域２４０３のトラックグルーブ３６３１を示す。詳細は図３６を参照して説明した通りである。但し、リードイン領域２４０１およびリードアウト領域２４０３のウォブルの物理的な周波数ｆｂは記録再生領域２４０２のウォブルの周波数ｆａに比べて１０倍高い周波数で形成されている。ウォブルの周波数を高く設定することで、単位面積当たりに含まれる情報量を増やすことが可能である。
【０２４９】
さらにリードイン領域２４０１およびリードアウト領域２４０３領域では複数のウォブルが１ビットの副情報を示す。記録再生領域２４０２とリードイン領域２４０１およびリードアウト領域２４０３とで副情報の最小単位となる１ビットを示すウォブル数が異なり得る。記録再生領域２４０２に比べて、リードイン領域２４０１およびリードアウト領域２４０３の１ビットを示すウォブル数を減らすことで、リードイン領域２４０１およびリードアウト領域２４０３の少ない面積中に効率よくディスク管理情報を示すウォブルを形成することが可能となる。
【０２５０】
以上のように、リードイン領域２４０１およびリードアウト領域２４０３は所定形状のウォブルが周期的に設けられたトラックグルーブ３６３１を含み、トラックグルーブのウォブル形状がディスク管理情報を示す。記録再生領域２４０２が含むトラックグルーブ２５０２にもウォブルが周期的に設けられているので、トラッキング方式をディスク一面にわたって統一することが可能であり光ディスク装置を簡略にすることが可能である。またリードイン領域２４０１およびリードアウト領域２４０３のウォブル周波数を記録再生領域２４０２のウォブルの周波数の１０倍にすることと、１ウォブルが１ビットの副情報を示すことで、単位面積あたりに記録される情報量が増大し、内周部あるいは外周部の限られた領域のリードイン領域２４０１あるいはリードアウト領域２４０３領域にディスク管理情報を示すウォブルを効率良く形成することが可能となる。
【０２５１】
本実施の形態で、リードイン領域２４０１およびリードアウト領域２４０３のウォブルの周波数を記録再生領域２４０２の１０倍にするとしたが、この数値に限定されるものではない。
【０２５２】
また、本実施の形態で、所定形状のウォブルとして鋸波上に形成されたウォブルを例に説明したが、ウォブルの形状としては鋸波状のウォブルに限定されるものではない。
【０２５３】
また、１ウォブルが１ビットの情報を示すこととしたが、複数のウォブルが１ビットの情報を示しても構わない。
【０２５４】
あるいは、図２６Ａおよび図２６Ｂに示すように、図２６Ａの記録再生領域２４０２のウォブルの周波数ｆａに比べ図２６Ｂのリードイン領域２４０１およびリードアウト領域２４０３のウォブルの周波数ｆｂを低くすることで、リードイン領域２４０１およびリードアウト領域２４０３のウォブルの検出Ｓ／Ｎを向上させることも可能である。こうすることで、リードイン領域２４０１およびリードアウト領域２４０３内のディスク管理情報の信頼性を向上させることが可能である。
【０２５５】
また、本実施の形態においてリードイン領域２４０１およびリードアウト領域２４０３の同一の周波数のウォブルを含み、ウォブルの周波数が記録再生領域２４０２とは異なるとして説明した。ただし、ディスク管理情報が内周部のリードイン領域２４０１のみに記録されている場合は、リードイン領域２４０１のみのウォブルの周波数を記録再生領域２４０２と異ならせることとしてもよい。
【０２５６】
また、本実施の形態においてリードイン領域２４０１とリードアウト領域２４０３が両方が光ディスク媒体に設けられると説明したが、リードイン領域２４０１のみあるいはリードアウト領域２４０３のみが設けられてもよい。
【０２５７】
（実施の形態１６）
図２７Ａおよび図２７Ｂに本発明の実施の形態１６における光ディスク媒体のトラックグルーブ２５０２および２７３１を示す。
【０２５８】
図２７Ａに示すトラックグルーブ２５０２は図２４に示した光ディスク媒体２４００の記録再生領域２４０２に対応し、詳細は図２５Ａを参照して説明した通りである。トラックグルーブ２７３１はリードイン領域２４０１およびリードアウト領域２４０３に対応する。
【０２５９】
ブロックマーク２５２０を含むフレーム２５１０は９個の正弦波状のウォブルがあらかじめ形成され、副情報“Ｂ”を示す。またブロックマーク２５２０に続く５２個のフレーム２５１１には１フレームあたり３６個の鋸波状のウォブルが予め形成され、副情報“０” および”１”を示す。ウォブル２５２６、２５２７および２５２８の物理的な周波数は、ＣＬＶ方式のディスクである光ディスク媒体２４００の場合、内周トラックから外周トラックまでｆａ（１ウォブル１２４チャネルビット）と一定である。ウォブルの振量をあらわすウォブル振幅はＣａと一定である。
【０２６０】
図２７Ｂに示すトラックグルーブ２７３１が図２５Ｂに示すトラックグルーブ３６３１と異なる点は、ウォブルの振量をあらわすウォブル振幅はＣｂでありＣｂ＞Ｃａと記録再生領域のウォブル振幅に比べ大きくなっている。
【０２６１】
再生時のウォブル信号振幅はウォブル振量に比例して大きくなるため、前述のように、リードイン領域２４１０１およびリードアウト領域２４０３のウォブル振幅を記録再生領域２４０２のウォブル振幅よりも大きくすることで、再生時のウォブルの検出Ｓ／Ｎを向上させ、ディスク管理情報の読み取り信頼性を向上させることが可能である。
【０２６２】
また、本実施の形態においてリードイン領域２４０１とリードアウト領域２４０３が両方が光ディスク媒体に設けられると説明したが、リードイン領域２４０１のみあるいはリードアウト領域２４０３のみが設けられてもよい。
【０２６３】
（実施の形態１７）
図２８Ａおよび図２８Ｂに本発明の実施の形態１７における光ディスク媒体のトラックグルーブ２８０２および２８３１を示す。
【０２６４】
図２８Ａにおいてウォブル２８２６は、ＣＬＶ方式で形成されており、ウォブルの物理的周波数は、内周トラックから外周トラックまで一定である。そのため隣接するトラック間のウォブル２８２６の位相差は、トラック位置ごとおよび半径位置ごとに異なっている。再生時には、隣接トラックとの干渉の影響が位相差の違いにより顕著になり、再生信号で検出されるウォブル振幅は上記位相差によって周期的に変化する。周期的に変化する再生時のウォブル信号振幅が最小となるウォブルではＳ／Ｎが低下することとなる。
【０２６５】
図２８Ｂに示すトラックグルーブ２８３１が図２５Ｂに示すトラックグルーブ２５０２および３６３１と異なる点は、ＣＡＶ方式でウォブル２８２７が形成されており、隣接トラック間のウォブル２８２７の位相差は常にπ／２となっていることである。
【０２６６】
このように、記録再生領域２４０２、リードイン領域２４０１およびリードアウト領域２４０３のウォブルをＣＡＶ方式で形成することで、再生時のウォブル信号振幅が一定となりウォブルの検出の信頼性を高めることが可能である。
【０２６７】
また、ウォブルの位相差をπ／２としたが、通常立ち上がり時の位相０の位置と立ち下り時の位相πの位置にウォブルの変化点（急峻なエッジ）が形成されている。そこで、π／２×（２ｎ＋１）の数値にして（ｎは整数）、隣接トラックのウォブルの変化点をπ／２、３×π／２の位置にすることにより、隣接トラックからのクロストークの影響を低減させる効果がある。また、このような数値に限らずその他の一定値の位相差にしても構わない。
【０２６８】
また、ＣＡＶ方式の変わりに例えばＤＶＤ−ＲＡＭで行われているようなＺＣＬＶ方式で記録再生領域２４０２、リードイン領域２４０１およびリードアウト領域２４０３を形成してもよい。
【０２６９】
また、記録再生領域２４０２のウォブルをＣＬＶ方式で形成せずに、ＣＡＶ方式またはＺＣＬＶ方式で形成することにより、記録再生領域２４０２から再生されるアドレス情報の信頼性を向上させることができる。
【０２７０】
また、本実施の形態においてリードイン領域２４０１とリードアウト領域２４０３が両方が光ディスク媒体に設けられると説明したが、リードイン領域２４０１のみあるいはリードアウト領域２４０３のみが設けられてもよい。
【０２７１】
（実施の形態１８）
図２９Ａおよび図２９Ｂに本発明の実施の形態１８における光ディスク媒体のトラックグルーブ２９０２および２９３１を示す。
【０２７２】
図２９Ａに示すトラックグルーブ２９０２は図２４に示した光ディスク媒体２４００の記録再生領域２４０２に対応し、詳細は図２５Ａを参照して説明した通りである。トラックグルーブ２９３１はリードイン領域２４０１およびリードアウト領域２４０３に対応する。
【０２７３】
図２９Ａに示すトラックグルーブ２９０２のトラックピッチ（すなわちトラック間隔）はＴＰａである。なお主情報の記録方式はトラックグルーブ内に記録するグルーブ記録方式である。
【０２７４】
図２９Ｂに示すトラックグルーブ２９３１が図２５Ｂに示すトラックグルーブ３６３１と異なる点は、リードイン領域２４０１およびリードアウト領域２４０３のトラックピッチをＴＰｂしたときに、ＴＰｂ＞ＴＰａと記録再生領域２４０２のトラックピッチに比べ大きくなっている。例えばグルーブ記録方式でＴＰａ＝０．３２μｍ（案内溝と案内溝の間隔）の光ディスク媒体を、光学定数として波長４０５ｎｍおよびＮＡ＝０．８５で生成される光スポットを用いて再生した場合、プシュプル方式で得られるトラッキングエラー信号の振幅は非常に小さい。トラックピッチを広げるとそれに応じてトラッキングエラー信号の振幅が大きくなる。ウォブルの振量が一定の場合、再生時のウォブル信号振幅は基本的にトラッキングエラー信号の振幅に比例して大きくなるため、トラックピッチを広げることで、再生時のウォブル信号振幅が大きくなる。
【０２７５】
このように、リードイン領域２４０１およびリードアウト領域２４０３のトラックピッチＴＰｂを記録再生領域２４０２のトラックピッチＴＰａよりも広くすることで、リードイン領域２４０１およびリードアウト領域２４０３のウォブルの検出Ｓ／Ｎを向上させることが可能である。
【０２７６】
また、ＴＰｂ＜ＴＰａとすることで、リードイン領域およびリードアウト領域の内周部および外周部の限られた領域内にディスク管理情報を効率良く記録することが可能となる。
【０２７７】
また、本実施の形態１５〜１８において、リードイン領域とリードアウト領域のウォブル周波数、ウォブル振幅、隣接トラックとの位相差、トラックピッチ等を記録再生領域と異ならすことを特徴としたが、これらのいくつかを組み合わせたリードイン領域およびリードアウト領域の構成にしても構わないことはいうまでもない。
【０２７８】
また、リードイン領域およびリードアウト領域のディスク管理領域のトラック上に濃淡の記録マークを形成しない。これによりディスク管理領域の再生信号のＳ／Ｎを上げることが可能となりディスク管理領域の読み取り信頼性を向上させる効果がある。
【０２７９】
また、本実施の形態においてリードイン領域２４０１とリードアウト領域２４０３が両方が光ディスク媒体に設けられると説明したが、リードイン領域２４０１のみあるいはリードアウト領域２４０３のみが設けられてもよい。
【０２８０】
（実施の形態１９）
図３５に本発明の実施の形態１９における光ディスク媒体のトラックグルーブ３５３１を示す。
【０２８１】
トラックグルーブ３５３１は図２４に示した光ディスク媒体２４００のリードイン領域２４０１およびリードアウト領域２４０３に対応する。
【０２８２】
図３５に示すトラックグルーブ３５３１が図２５Ｂに示すトラックグルーブ３６３１と異なる点は、リードイン領域２４０１およびリードアウト領域２４０３（すなわちトラックグルーブ３５３１）上に、追記する形で単一周波数の記録マークが記録されている点である。例えば記録チャネルビット長が０．０７７１μｍの記録マークを記録する場合、８Ｔの記録マークとスペースの繰り返し信号をディスク管理領域を形成するトラックグルーブ３５３１に追記する形で記録する。これにより、プシュプル方式のトラッキング手段をもたない再生装置（ＤＰＤ方式のトラッキング）で再生することが可能となり、装置間の互換性が向上する効果がある。
【０２８３】
また、本実施の形態においてリードイン領域２４０１とリードアウト領域２４０３が両方が光ディスク媒体に設けられると説明したが、リードイン領域２４０１のみあるいはリードアウト領域２４０３のみが設けられてもよい。
【０２８４】
（実施の形態２０）
図３１に本発明の実施の形態２０における光ディスク媒体のトラックグルーブ３１０１を示す。
【０２８５】
実施の形態１では、ブロックマーク２１０はトラックグルーブ１０２を寸断して設けたが、本実施の形態ではトラックグルーブ３１０１のウォブル３１２６の位相を局所的に反転したブロックマーク３１０４を形成する。このようなブロックマーク３１０４ならばトラックグルーブ３１０１が寸断されることがないので、ブロックマーク上にも情報を記録することができる。結果的にオーバーヘッドを低減することができる。
【０２８６】
（実施の形態２１）
図３２に本発明の実施の形態２１における光ディスク媒体のトラックグルーブ３２０１を示す。
【０２８７】
実施の形態１では、ブロックマーク２１０はトラックグルーブ１０２を寸断して設けたが、本実施の形態では、トラックグルーブ３２０１のウォブル３２２６の位相を局所的に反転したブロックマーク３２０４ａおよび３２０４ｂを複数形成する。このようなブロックマーク３２０４ａおよび３２０４ｂならばトラックグルーブ３２０１が寸断されることがなく、かつウォブル３２２６の位相の連続性がブロックマーク３２０４ａと３２０４ｂで挟まれた区間以外で保持されるので、ウォブルのクロックの位相が概略変わることなく、ＰＬＬの位相ずれを発生させることなく再生動作が可能である。またブロックマーク３２０４ａおよび３２０４ｂ上にも主情報を記録することができ、結果的にオーバーヘッドを低減することができる。
【０２８８】
（実施の形態２２）
図３３に本発明の実施の形態２２における光ディスク媒体のトラックグルーブ３３０１を示す。
【０２８９】
実施の形態１では、ブロックマーク２１０はトラックグルーブ１０２を寸断して設けたが、本実施の形態では、ウォブル２６に対し周波数を局所的に高くしたウォブル３３２６でブロックマーク３３０４を形成する。このようなブロックマーク３３０４ならばトラックグルーブ３３０１が寸断されることがないので、ブロックマーク３３０４上にも主情報を記録することができる。結果的にオーバーヘッドを低減することができる。
【０２９０】
また、実施の形態１、４、５、７〜１２、１５、１６および１９〜２２においてブロックマークが形成されたトラックグルーブを開示したが、ブロックマークを形成されないフォーマットでトラックグルーブが光ディスク媒体に設けられてもよい。
【産業上の利用可能性】
【０２９１】
本発明は、高密度で情報が記録される光ディスク媒体および光ディスク読み取り方法に関する技術分野において特に有用である。
【符号の説明】
【０２９２】
２２、２３、２４ フレーム
２５ セクタ
１０１ 光ディスク媒体記録面
１０２ トラックグルーブ
２１０、２１２、２１３ ブロックマーク
２４１ ブロック
【図１】
2010182412.tif 000003
【図２】
2010182412.tif 000004
【図３】
2010182412.tif 000005
【図４】
2010182412.tif 000006
【図５】
2010182412.tif 000007
【図６】
2010182412.tif 000008
【図７】
2010182412.tif 000009
【図８】
2010182412.tif 000010
【図９】
2010182412.tif 000011
【図１０】
2010182412.tif 000012
【図１１】
2010182412.tif 000013
【図１２】
2010182412.tif 000014
【図１３】
2010182412.tif 000015
【図１４】
2010182412.tif 000016
【図１５】
2010182412.tif 000017
【図１６】
2010182412.tif 000018
【図１７】
2010182412.tif 000019
【図１８】
2010182412.tif 000020
【図１９】
2010182412.tif 000021
【図２０】
2010182412.tif 000022
【図２１】
2010182412.tif 000023
【図２２】
2010182412.tif 000024
【図２３Ａ】
2010182412.tif 000025
【図２３Ｂ】
2010182412.tif 000026
【図２４】
2010182412.tif 000027
【図２５Ａ】
2010182412.tif 000028
【図２５Ｂ】
2010182412.tif 000029
【図２６Ａ】
2010182412.tif 000030
【図２６Ｂ】
2010182412.tif 000031
【図２７Ａ】
2010182412.tif 000032
【図２７Ｂ】
2010182412.tif 000033
【図２８Ａ】
2010182412.tif 000034
【図２８Ｂ】
2010182412.tif 000035
【図２９Ａ】
2010182412.tif 000036
【図２９Ｂ】
2010182412.tif 000037
【図３０】
2010182412.tif 000038
【図３１】
2010182412.tif 000039
【図３２】
2010182412.tif 000040
【図３３】
2010182412.tif 000041
【図３４】
2010182412.tif 000042
【図３５】
2010182412.tif 000043
【図３６】
2010182412.tif 000044